(57)【要約】  ＵＥ（user equipment）がＨＡＲＱ−ＡＣＫ（hybrid automatic repeat request acknowledgement）情報を伝送するための方法が提供され、該方法は、基地局からＤＬ ＳＰＳ（downlink semi-persistent scheduling）非活性化のための情報を含むＰＤＣＣＨ（physical downlink control channel）を受信する段階、及びＤＬ ＳＰＳ非活性化のための情報を含むＰＤＣＣＨに係わるＨＡＲＱ−ＡＣＫ情報を含む上向きリンクチャネルを、基地局に伝送する段階を含み、上向きリンクチャネルの最初シンボルは、ＰＤＣＣＨの最後のシンボルが伝送された時点から、少なくともプロセッシング時間（Ｔｐｒｏｃ，３）以後に伝送され、プロセッシング時間は、ＰＤＣＣＨのサブキャリアスペーシング（ＳＣＳ）値、及び上向きリンクチャネルのサブキャリアスペーシング値のうち小さい値に基づいて決定される。
2021533634.tif 000002
【特許請求の範囲】
【請求項１】
無線通信システムにおいて、ＵＥ（user equipment）がＨＡＲＱ−ＡＣＫ（hybrid automatic repeat request acknowledgement）情報を伝送するための方法において、
基地局からＤＬ ＳＰＳ（downlink semi-persistent scheduling）非活性化（release）のための情報を含むＰＤＣＣＨ（physical downlink control channel）を受信する段階と、
前記ＤＬ ＳＰＳ非活性化のための情報を含む前記ＰＤＣＣＨに係わるＨＡＲＱ−ＡＣＫ情報を含む上向きリンクチャネルを、前記基地局に伝送する段階と、を含み、
前記上向きリンクチャネルの最初シンボルは、前記ＰＤＣＣＨの最後のシンボルが伝送された時点から、少なくともプロセッシング時間（Ｔｐｒｏｃ，３）以後に伝送され、
前記プロセッシング時間は、前記ＰＤＣＣＨのサブキャリアスペーシング（ＳＣＳ）値、及び前記上向きリンクチャネルのサブキャリアスペーシング値のうち小さい値に基づいて決定される、方法。
【請求項２】
前記上向きリンクチャネルは、前記ＨＡＲＱ−ＡＣＫ情報が多重化されたＰＵＳＣＨ（physical uplink shared channel）である、請求項１に記載の方法。
【請求項３】
前記プロセッシング時間（Ｔｐｒｏｃ，３）は、Ｔｐｒｏｃ，３＝（Ｎ３＋ｄ３）・（２０４８＋１４４）・κ・２−μ・Ｔｃに基づいて計算され、
前記ｄ３は、１であり、
前記μは、前記ＰＤＣＣＨのサブキャリアスペーシング値（μＰＤＣＣＨ）、及び前記上向きリンクチャネルのサブキャリアスペーシング値（μＵＬ）のうち小さい値であり、
前記Ｎ３は、前記μに基づいて決定され、
前記Ｔｃは、Ｔｃ＝１／（△ｆｍａｘ・Ｎｆ）に基づいて計算され、△ｆｍａｘ＝４８０・１０３Ｈｚ及びＮｆ＝４０９６であり、
前記κは、κ＝Ｔｓ／Ｔｃ＝６４であり、Ｔｓ＝１／（△ｆｒｅｆ・Ｎｆ，ｒｅｆ）、△ｆｒｅｆ＝１５・１０３Ｈｚ及びＮｆ，ｒｅｆ＝２０４８である、請求項１に記載の方法。
【請求項４】
前記μが１５ｋＨｚであるならば、前記Ｎ３は、１０であり、
前記μが３０ｋＨｚであるならば、前記Ｎ３は、１２であり、
前記μが６０ｋＨｚであるならば、前記Ｎ３は、２２であり、
前記μが１２０ｋＨｚであるならば、前記Ｎ３は、２５である、請求項３に記載の方法。
【請求項５】
前記上向きリンクチャネルの最初シンボルは、前記ＰＤＣＣＨの最後のシンボルが伝送された時点から、前記所定のプロセッシング時間以後、ＣＰ（cyclic prefix）が始まる最初シンボルより先に伝送されない、請求項１に記載の方法。
【請求項６】
前記ＰＤＣＣＨは、前記ＤＬ ＳＰＳ解除のための情報を含むＤＣＩ（downlink control information）を含む、請求項１に記載の方法。
【請求項７】
前記ＨＡＲＱ−ＡＣＫ情報は、前記ＤＬ ＳＰＳ解除のための情報を含む前記ＰＤＣＣＨに係わるＡＣＫ（acknowledgement）情報またはＮＡＣＫ（negative acknowledgement）情報を含む、請求項１に記載の方法。
【請求項８】
無線通信システムにおいて、ＨＡＲＱ−ＡＣＫ（hybrid automatic repeat request acknowledgement）情報を伝送するＵＥ（user equipment）において、
送受信部と、
前記送受信部と連結された少なくとも１つのプロセッサと、を含み、
前記少なくとも１つのプロセッサは、
基地局からＤＬ ＳＰＳ（downlink semi-persistent scheduling）非活性化（release）のための情報を含むＰＤＣＣＨ（physical downlink control channel）を受信し、
前記ＤＬ ＳＰＳ非活性化のための情報を含む前記ＰＤＣＣＨに係わるＨＡＲＱ−ＡＣＫ情報を含む上向きリンクチャネルを、前記基地局に伝送し、
前記上向きリンクチャネルの最初シンボルは、前記ＰＤＣＣＨの最後のシンボルが伝送された時点から、少なくともプロセッシング時間（Ｔｐｒｏｃ，３）以後に伝送され、
前記プロセッシング時間は、前記ＰＤＣＣＨのサブキャリアスペーシング（ＳＣＳ）値、及び前記上向きリンクチャネルのサブキャリアスペーシング値のうち小さい値に基づいて決定される、ＵＥ（user equipment）。
【請求項９】
前記上向きリンクチャネルは、前記ＨＡＲＱ−ＡＣＫ情報が多重化されたＰＵＳＣＨ（physical uplink shared channel）である、請求項８に記載のＵＥ（user equipment）。
【請求項１０】
前記プロセッシング時間（Ｔｐｒｏｃ，３）は、Ｔｐｒｏｃ，３＝（Ｎ３＋ｄ３）・（２０４８＋１４４）・κ・２−μ・Ｔｃに基づいて計算され、
前記ｄ３は、１であり、
前記μは、前記ＰＤＣＣＨのサブキャリアスペーシング値（μＰＤＣＣＨ）、及び前記上向きリンクチャネルのサブキャリアスペーシング値（μＵＬ）のうち小さい値であり、
前記Ｎ３は、前記μに基づいて決定され、
前記Ｔｃは、Ｔｃ＝１／（△ｆｍａｘ・Ｎｆ）に基づいて計算され、△ｆｍａｘ＝４８０・１０３Ｈｚ及びＮｆ＝４０９６であり、
前記κは、κ＝Ｔｓ／Ｔｃ＝６４であり、Ｔｓ＝１／（△ｆｒｅｆ・Ｎｆ，ｒｅｆ）、△ｆｒｅｆ＝１５・１０３Ｈｚ及びＮｆ，ｒｅｆ＝２０４８である、請求項８に記載のＵＥ（user equipment）。
【請求項１１】
前記μが１５ｋＨｚであるならば、前記Ｎ３は、１０であり、
前記μが３０ｋＨｚであるならば、前記Ｎ３は、１２であり、
前記μが６０ｋＨｚであるならば、前記Ｎ３は、２２であり、
前記μが１２０ｋＨｚであるならば、前記Ｎ３は、２５である、請求項１０に記載のＵＥ（user equipment）。
【請求項１２】
前記上向きリンクチャネルの最初シンボルは、前記ＰＤＣＣＨの最後のシンボルが伝送された時点から、前記所定のプロセッシング時間以後、ＣＰ（cyclic prefix）が始まる最初シンボルより先に伝送されない、請求項８に記載のＵＥ（user equipment）。
【請求項１３】
前記ＰＤＣＣＨは、前記ＤＬ ＳＰＳ解除のための情報を含むＤＣＩ（downlink control information）を含む、請求項８に記載のＵＥ（user equipment）。
【請求項１４】
前記ＨＡＲＱ−ＡＣＫ情報は、前記ＤＬ ＳＰＳ解除のための情報を含む前記ＰＤＣＣＨに係わるＡＣＫ（acknowledgement）情報またはＮＡＣＫ（negative acknowledgement）情報を含む、請求項８に記載のＵＥ（user equipment）。
【請求項１５】
プログラムコードを含む非一時的コンピュータ記録媒体において、前記プログラムコードは、プロセッサによって実行されれば、前記プロセッサをして、
基地局からＤＬ ＳＰＳ（downlink semi-persistent scheduling）非活性化（release）のための情報を含むＰＤＣＣＨ（physical downlink control channel）を受信させ、
前記ＤＬ ＳＰＳ非活性化のための情報を含む前記ＰＤＣＣＨに係わるＨＡＲＱ−ＡＣＫ情報を含む上向きリンクチャネルを、前記基地局に伝送させ、
前記上向きリンクチャネルの最初シンボルは、前記ＰＤＣＣＨの最後のシンボルが伝送された時点から、少なくともプロセッシング時間（Ｔｐｒｏｃ，３）以後に伝送され、
前記プロセッシング時間は、前記ＰＤＣＣＨのサブキャリアスペーシング（ＳＣＳ）値、及び前記上向きリンクチャネルのサブキャリアスペーシング値のうち小さい値に基づいて決定される、非一時的コンピュータ記録媒体。
【発明の詳細な説明】
【技術分野】
【０００１】
本開示は、無線通信システムに係り、信号の送信時間を決定する方法及びその装置に関する。さらに具体的には、端末が、基地局から伝送された下向きリンク信号と係わる上向きリンク信号伝送を行うとき、送信時間を決定する方法に関する。
【背景技術】
【０００２】
４Ｇ（４ｔｈ-generation）通信システム商用化以後、増加趨勢にある無線データトラフィック需要を充足するために、改善された５Ｇ通信システムまたはｐｒｅ−５Ｇ（５ｔｈ-generation）通信システムを開発するための努力がなされている。そのような理由で、５Ｇ通信システムまたはｐｒｅ−５Ｇ通信システムは、４Ｇネットワーク以後（beyond ４Ｇ network）通信システムまたはＬＴＥシステム以後（post ＬＴＥ（long term evolution））以後のシステムと呼ばれている。３ＧＰＰ（３ｒｄ Generation Partnership Project）で定めた５Ｇ通信システムは、ＮＲ（new radio）システムと呼ばれている。高いデータ伝送率を達成するために、５Ｇ通信システムは、超高周波（ｍｍWave）帯域（例えば、６０ギガ（６０ＧＨｚ）帯域）での具現が考慮されている。超高周波帯域での電波の経路損失緩和、及び電波の伝達距離を延長させるために、５Ｇ通信システムにおいては、ビームフォーミング（beamforming）、巨大配列多重入出力（massive ＭＩＭＯ（multiple-input multiple-output））、全次元多重入出力（ＦＤ（full dimension）−ＭＩＭＯ）、アレイアンテナ（array antenna）、アナログビームフォーミング及び大規模アンテナ（large scale antenna）の技術が論議され、ＮＲシステムに適用された。また、システムのネットワーク改善のために、５Ｇ通信システムにおいては、進化された小型セル、改善された小型セル（advanced small cell）、クラウド無線アクセスネットワーク（cloud ＲＡＮ（radio access network）、超高密度ネットワーク（ultra-dense network）、機器間通信（Ｄ２Ｄ：device to device communication）、無線バックホール（wireless backhaul）、移動ネットワーク（moving network）、協力通信（cooperative communication）、ＣｏＭＰ（coordinated multi-points）及び受信干渉除去（interference cancellation）のような技術開発がなされている。それ以外にも、５Ｇシステムにおいては、進歩されたコーディング変調（ＡＣＭ：advanced coding modulation）方式であるＦＱＡＭ（hybrid ＦＳＫ（frequency-shift keying） and ＱＡＭ（quadrature amplitude modulation） modulation）及びＳＷＳＣ（sliding window superposition coding）、並びに進歩された接続技術であるＦＢＭＣ（filter bank multi carrier）、ＮＯＭＡ（non-orthogonal multiple access）及びＳＣＭＡ（sparse code multiple access）などが開発されている。
【０００３】
一方、インターネットは、人間が情報を生成して消費する人間中心の連結網において、事物のような分散された構成要素間において情報をやり取りして処理する事物インターネット（ＩｏＴ：Internet of Things）網で進化している。クラウドサーバなどとの連結を介するビックデータ（Big Data）処理技術などがＩｏＴ技術に結合されたＩｏＥ（Internet of Everything）技術も出てきている。ＩｏＴを具現するために、センシング技術、有無線通信及びネットワークインフラ、サービスインターフェース技術、並びに保安技術のような技術要素が要求され、最近では、事物間連結のためのセンサネットワーク（sensor network）、事物通信（Ｍ２Ｍ：machine to machine）、ＭＴＣ（machine type communication）のような技術が研究されている。ＩｏＴ環境においては、連結された事物で生成されたデータを収集して分析し、人間の生活に新たな価値を新たに創出する知能型ＩＴ（internet technology）サービスが提供されうる。ＩｏＴは、既存のＩＴ（information technology）技術と多様な産業との融合及び複合を介し、スマートホーム、スマートビルディング、スマートシティ、スマートカーまたはコネクティッドカー、スマートグリッド、ヘルスケア、スマート家電、先端医療サービスなどの分野にも応用される。
【０００４】
そのために、５Ｇ通信システムをＩｏＴ網に適用するための多様な試みがなされている。例えば、センサネットワーク（sensor network）、事物通信（Ｍ２Ｍ）、ＭＴＣのような５Ｇ通信が、ビームフォーミング、ＭＩＭＯ及びアレイアンテナなどの技法によって具現されているのである。前述のビックデータ処理技術として、クラウド無線アクセスネットワーク（cloud ＲＡＮ）が適用されることも、５Ｇ技術とＩｏＴ技術との融合一例と言えるであろう。
【０００５】
前述のところと、移動通信システムの発展とにより、多様なサービスを提供することができることになることにより、そのようなサービスを効果的に提供するための方案が要求されている。
【０００６】
前述の情報は、本開示理解の一助とするための背景情報としてのみ提示された。本開示と係わり、前述のいずれか一つでも先行技術として適用されうるということについて、いかなる決定もなされておらず、またいかなる主張も提起されていない。
【発明の概要】
【課題を解決するための手段】
【０００７】
本開示の一実施形態によるＵＥ（user equipment）がＨＡＲＱ−ＡＣＫ（hybrid automatic repeat request acknowledgement）情報を伝送するための方法は、基地局からＤＬ ＳＰＳ（downlink semi-persistent scheduling）非活性化（release）のための情報を含むＰＤＣＣＨ（physical downlink control channel）を受信する段階、及び前記ＤＬ ＳＰＳ非活性化のための情報を含む前記ＰＤＣＣＨに係わるＨＡＲＱ−ＡＣＫ情報を含む上向きリンクチャネルを前記基地局に伝送する段階を含み、前記上向きリンクチャネルの最初シンボルは、前記ＰＤＣＣＨの最後のシンボルが伝送された時点から、少なくともプロセッシング時間（Ｔｐｒｏｃ，３）以後に伝送され、前記プロセッシング時間は、前記ＰＤＣＣＨのサブキャリアスペーシング（ＳＣＳ：subcarrier spacing）値、及び前記上向きリンクチャネルのサブキャリアスペーシング値のうち小さい値に基づいて決定される。
【図面の簡単な説明】
【０００８】
【図１】一部実施形態による、５Ｇ、ＮＲ、またはそれと類似したシステムにおける無線資源領域である時間・周波数資源領域の伝送構造を図示した図面である。
【図２】一部実施形態による、５Ｇ、ＮＲ、またはそれと類似したシステムにおいて、ｅＭＢＢ（enhanced mobile broadband）用、ＵＲＬＬＣ（ultra-reliable and low-latency communications）用、ｍＭＴＣ用のデータを周波数・時間資源領域において割り当てる方法について説明するための図面である。
【図３】一部実施形態による、５Ｇ、ＮＲ、またはそれと類似したシステムにおいて、端末が第１信号を受信し、それに対する応答として、第２信号を端末が送信するとき、タイミングアドバンスによる端末のプロセッシング時間について説明するための図面である。
【図４】一部実施形態による、５ＧシステムまたはＮＲシステムにおいて、端末が第１信号を受信し、第１信号に対する応答として、第２信号を端末が送信するとき、多数ＨＡＲＱ（hybrid automatic request）発生による端末のプロセッシングについて説明するための図面である。
【図５】一部実施形態による、ＤＬ ＳＰＳ動作またはＵＬ grant type ２動作について説明するための図面である。
【図６】一部実施形態による、端末が基地局から受信したＤＬ ＳＰＳ非活性化に係わる第１信号に対応し、第２信号を基地局に送信するために必要なプロセッシング時間を決定する方法を図示したフローチャートである。
【図７】一部実施形態による、端末が基地局から受信したＤＬ ＳＰＳ非活性化に係わる第１信号に対応し、第２信号を基地局に送信するために必要なプロセッシング時間を決定する方法を図示したフローチャートである。
【図８】一部実施形態による、端末が基地局から受信したＤＬ ＳＰＳ非活性化に係わる第１信号に対応し、第２信号を基地局にＰＵＣＣＨとＰＵＳＣＨで同時に送信可能である場合、第２信号送信を基地局に送信するために必要なプロセッシング時間を決定する方法を図示したフローチャートである。
【図９】一部実施形態による、端末の構造を図示するブロック図である。
【図１０】一部実施形態による、基地局の構造を図示するブロック図である。図面全体にわたり、同一であるか、あるいは類似した要素、特徴及び構造を示すために、類似した参照番号が使用されたことに留意しなければならない。
【発明を実施するための形態】
【０００９】
本開示の実施形態の前述及び他の側面、特徴及び利点は、添付の図面と共に、次のような説明によってさらに明確になるであろう。
【００１０】
開示された側面は、少なくとも前述の問題及び／または短所を取り扱い、少なくとも以下で説明された長所を提供するためのものである。それにより、本開示の一側面は、移動通信システムにおいて、サービスを効果的に提供することができる装置及びその方法を提供する。
追加的な側面は、以下の説明である程度説明され、該説明により、ある程度明確になり、または本開示の実施形態によって知ることができるであろう。
【００１１】
本開示の一側面による無線通信システムにおいて、ＵＥ（user equipment）がＨＡＲＱ−ＡＣＫ（hybrid automatic repeat request acknowledgement）情報を伝送するための方法は、基地局から、ＤＬ ＳＰＳ（downlink semi-persistent scheduling）非活性化（release）のための情報を含むＰＤＣＣＨ（physical downlink control channel）を受信する段階、及び前記ＤＬ ＳＰＳ非活性化のための情報を含む前記ＰＤＣＣＨに係わるＨＡＲＱ−ＡＣＫ情報を含む上向きリンクチャネルを、前記基地局に伝送する段階を含み、前記上向きリンクチャネルの最初シンボルは、前記ＰＤＣＣＨの最後のシンボルが伝送された時点から、少なくともプロセッシング時間（Ｔｐｒｏｃ，３）以後に伝送され、前記プロセッシング時間は、前記ＰＤＣＣＨのサブキャリアスペーシング（ＳＣＳ：subcarrier spacing）値、及び前記上向きリンクチャネルのサブキャリアスペーシング値のうち小さい値に基づいても決定される。
【００１２】
前記上向きリンクチャネルは、前記ＨＡＲＱ−ＡＣＫ情報が多重化（multiplexing）されたＰＵＳＣＨ（physical uplink shared channel）でもある。
【００１３】
前記プロセッシング時間（Ｔｐｒｏｃ，３）は、Ｔｐｒｏｃ，３＝（Ｎ３＋ｄ３）・（２０４８＋１４４）・κ・２−μ・Ｔｃに基づいて計算され、前記ｄ３は、１であり、前記μは、前記ＰＤＣＣＨのサブキャリアスペーシング値（μＰＤＣＣＨ）、及び前記上向きリンクチャネルのサブキャリアスペーシング値（μＵＬ）のうち小さい値であり、前記Ｎ３は、前記μに基づいて決定され、前記Ｔｃは、Ｔｃ＝１／（△ｆｍａｘ・Ｎｆ）に基づいて計算され、△ｆｍａｘ＝４８０・１０３Ｈｚ及びＮｆ＝４０９６であり、前記κは、κ＝Ｔｓ／Ｔｃ＝６４であり、Ｔｓ＝１／（△ｆｒｅｆ・Ｎｆ，ｒｅｆ）、△ｆｒｅｆ＝１５・１０３Ｈｚ及びＮｆ，ｒｅｆ＝２０４８でもある。
【００１４】
前記μが１５ｋＨｚであるならば、前記Ｎ３は、１０であり、前記μが３０ｋＨｚであるならば、前記Ｎ３は、１２であり、前記μが６０ｋＨｚであるならば、前記Ｎ３は、２２であり、前記μが１２０ｋＨｚであるならば、前記Ｎ３は、２５でもある。
前記上向きリンクチャネルの最初シンボルは、前記ＰＤＣＣＨの最後のシンボルが伝送された時点から、前記所定のプロセッシング時間以後、ＣＰ（cyclic prefix）が始まる最初シンボルより先に伝送されないのである。
前記ＰＤＣＣＨは、前記ＤＬ ＳＰＳ解除のための情報を含むＤＣＩを含んでもよい。
前記ＨＡＲＱ−ＡＣＫ情報は、前記ＤＬ ＳＰＳ解除のための情報を含む前記ＰＤＣＣＨに係わるＡＣＫ（acknowledgement）情報またはＮＡＣＫ（negative acknowledgement）情報を含んでもよい。
【００１５】
本開示の他の側面によるＵＥが提供される。前記ＵＥは、送受信部と、前記送受信部と連結された少なくとも１つのプロセッサと、を含み、前記少なくとも１つのプロセッサは、基地局からＤＬ ＳＰＳ非活性化のための情報を含むＰＤＣＣＨを受信し、前記ＤＬ ＳＰＳ非活性化のための情報を含む前記ＰＤＣＣＨに係わるＨＡＲＱ−ＡＣＫ情報を含む上向きリンクチャネルを、前記基地局に伝送し、前記上向きリンクチャネルの最初シンボルは、前記ＰＤＣＣＨの最後のシンボルが伝送された時点から、少なくともプロセッシング時間（Ｔｐｒｏｃ，３）以後に伝送され、前記プロセッシング時間は、前記ＰＤＣＣＨのサブキャリアスペーシング（ＳＣＳ）値、及び前記上向きリンクチャネルのサブキャリアスペーシング値のうち小さい値に基づいても決定される。
前記上向きリンクチャネルは、前記ＨＡＲＱ−ＡＣＫ情報が多重化されたＰＵＳＣＨでもある。
【００１６】
前記プロセッシング時間（Ｔｐｒｏｃ，３）は、Ｔｐｒｏｃ，３＝（Ｎ３＋ｄ３）・（２０４８＋１４４）・κ・２−μ・Ｔｃに基づいて計算され、前記ｄ３は、１であり、前記μは、前記ＰＤＣＣＨのサブキャリアスペーシング値（μＰＤＣＣＨ）、及び前記上向きリンクチャネルのサブキャリアスペーシング値（μＵＬ）のうち小さい値であり、前記Ｎ３は、前記μに基づいて決定され、前記Ｔｃは、Ｔｃ＝１／（△ｆｍａｘ・Ｎｆ）に基づいて計算され、△ｆｍａｘ＝４８０・１０３Ｈｚ及びＮｆ＝４０９６であり、前記κは、κ＝Ｔｓ／Ｔｃ＝６４であり、Ｔｓ＝１／（△ｆｒｅｆ・Ｎｆ，ｒｅｆ）、△ｆｒｅｆ＝１５・１０３Ｈｚ及びＮｆ，ｒｅｆ＝２０４８でもある。
【００１７】
前記μが１５ｋＨｚであるならば、前記Ｎ３は、１０であり、前記μが３０ｋＨｚであるならば、前記Ｎ３は、１２であり、前記μが６０ｋＨｚであるならば、前記Ｎ３は、２２であり、前記μが１２０ｋＨｚであるならば、前記Ｎ３は、２５でもある。
【００１８】
前記上向きリンクチャネルの最初シンボルは、前記ＰＤＣＣＨの最後のシンボルが伝送された時点から、前記所定のプロセッシング時間以後、ＣＰが始まる最初シンボルより先に伝送されないのである。
【００１９】
前記ＰＤＣＣＨは、前記ＤＬ ＳＰＳ解除のための情報を含むＤＣＩを含んでもよい。
前記ＨＡＲＱ−ＡＣＫ情報は、前記ＤＬ ＳＰＳ解除のための情報を含む前記ＰＤＣＣＨに係わるＡＣＫ情報またはＮＡＣＫ情報を含んでもよい。
【００２０】
本開示の他の側面による、非一時的コンピュータ記録媒体が提供される。非一時的コンピュータプログラムは、プログラムコードを含み、前記プログラムコードは、プロセッサによって実行されれば、前記プロセッサにして、基地局からＤＬ ＳＰＳ非活性化のための情報を含むＰＤＣＣＨを受信し、前記ＤＬ ＳＰＳ非活性化のための情報を含む前記ＰＤＣＣＨに係わるＨＡＲＱ−ＡＣＫ情報を含む上向きリンクチャネルを、前記基地局に伝送させ、前記上向きリンクチャネルの最初シンボルは、前記ＰＤＣＣＨの最後のシンボルが伝送された時点から、少なくともプロセッシング時間（Ｔｐｒｏｃ，３）以後に伝送され、前記プロセッシング時間は、前記ＰＤＣＣＨのサブキャリアスペーシング値、及び前記上向きリンクチャネルのサブキャリアスペーシング値のうち小さい値に基づいても決定される。
【００２１】
添付された図面を参照し、以下の説明は、特許請求の範囲、及びその均等物によって定義された本開示の多様な実施形態の包括的な理解の一助とするために提供される。その理解の一助とするために、多様な具体的な細部事項を含むが、それらは、ただ例示的なものと見なされなければならない。従って、当業者は、本明細書で説明された多様な実施形態の多様な変更及び修正が、本開示の範囲及び思想を外れずになされうるということを認識するであろう。また、周知の機能及び構成に係わる説明は、明確性と簡潔性とのために、省略されうる。
【００２２】
以下の説明、及び特許請求の範囲で使用される用語及び単語は、書誌的意味に制限されるものではなく、本開示の明確であって一貫された理解を可能にするために、発明者によって使用されるのみである。従って、本開示の多様な実施形態に係わる以下の説明は、添付された特許請求の範囲、及びその均等物によって定義された開示を制限するためのものではなく、単に例示目的に提供されるということは、当業者に明白である。
【００２３】
単数形態である「ａ」、「ａｎ」、及び「ｔｈｅ」は、文脈上明白に取り立てて指示しない限り、複数の指示対象を含むものであると理解されなければならない。従って、例えば、「構成要素表面」に係わる言及は、そのような表面中のうち１以上に係わる参照を含む。
【００２４】
以下、本開示の多様な実施形態について、添付図面を参照して詳細に説明する。
多様な実施形態についての説明において、本開示が属する技術分野に周知されており、本開示と直接に関連がない記述内容については、説明を省略する。それは、不要な説明を省略することにより、本開示の要旨を不明確にせず、さらに明確に伝達するためである。
【００２５】
同じ理由により、添付図面において、一部構成要素は、誇張されたり省略されたりしても概略的に図示された。また、各構成要素の大きさは、実際サイズを全面的に反映させるものではない。各図面において、同一であったり対応したりする構成要素には、同一参照番号を付した。
【００２６】
本開示の特徴、及びそれらを達成する方法は、添付される図面と共に詳細に後述されている多様な実施形態を参照すれば、明確になるであろう。しかし、本開示は、以下で開示される多様な実施形態に限定されるものではなく、互いに異なる多様な形態にも具現され、単に本実施形態は、本開示の開示が完全にさせ、本開示が属する技術分野で当業者に、発明の範疇を完全に知らせるために提供されるものであり、本開示は、請求項の範疇によって定義されるのみである。明細書全体にわたり、同一参照符号は、同一構成要素を指す。
【００２７】
このとき、処理フローチャート、図面の各ブロックとフローチャートとの組み合わせは、コンピュータプログラムインストラクションによって遂行されうるということを理解することができるであろう。それらコンピュータプログラムインストラクションは、汎用コンピュータ、特殊用コンピュータ、またはその他プログラム可能なデータプロセッシング装備のプロセッサに搭載されるうこので、コンピュータ、またはその他プログラム可能なデータプロセッシング装備のプロセッサを介して遂行されるそのインストラクションが、フローチャートブロックで説明された機能を遂行する手段を生成することになる。それらコンピュータプログラムインストラクションは、特定方式で機能を具現するために、コンピュータ、またはその他プログラム可能なデータプロセッシング装備を志向することができるコンピュータ利用可能メモリまたはコンピュータ可読メモリに保存されることも可能であるので、そのコンピュータ利用可能またはコンピュータ可読メモリに保存されたインストラクションは、フローチャートブロックで説明された機能を遂行するインストラクション手段を内包する製造品目を生産することも可能である。コンピュータプログラムインストラクションは、コンピュータ上、またはその他プログラム可能なデータプロセッシング装備上に搭載されることも可能であるので、コンピュータ上、またはその他プログラム可能なデータプロセッシング装備上において、一連の動作段階が遂行され、コンピュータで実行されるプロセスを生成し、コンピュータ、またはその他プログラム可能なデータプロセッシング装備を遂行するインストラクションは、フローチャートブロックで説明された機能を遂行するための段階を提供することも可能である。
【００２８】
また、各ブロックは、特定された論理的機能を遂行するための１以上の実行可能なインストラクションを含むモジュール、セグメントまたはコードの一部を示すことができる。また、いくつかの代替実行例においては、ブロックにおいて言及された機能が順序を外れて発生することも可能であるということに注目しなければならない。例えば、続けて図示されている２つのブロックは、実際には、実質的に同時に遂行されることも可能であり、またはそのブロックが、時折当該機能によって逆順に遂行されることも可能である。
【００２９】
このとき、本実施形態で使用される「〜部」という用語は、ソフトウェアまたはＦＰＧＡ（field programmable gate array）またはＡＳＩＣ（application-specific integrated circuit）のようなハードウェア構成要素を意味し、「〜部」は、ある役割を遂行する。しかしながら、「〜部」は、ソフトウェアまたはハードウェアに限定される意味ではない。「〜部」は、アドレッシングすることができる記録媒体にあるようにも構成され、１またはそれ以上のプロセッサを再生させるようにも構成される。従って、一例として、「〜部」は、ソフトウェア構成要素、客体志向ソフトウェア構成要素、クラス構成要素及びタスク構成要素のような構成要素、並びにプロセス、関数、属性、プロシージャ、サブルーチン、プログラムコードのセグメント、ドライバ、ファームウェア、マイクロコード、回路、データ、データベース、データ構造、テーブル、アレイ、及び変数を含む。該構成要素と「〜部」とのうちで提供される機能は、さらに少数の構成要素及び「〜部」に結合されるか、あるいは追加的な構成要素と「〜部」とにさらに分離されうる。それだけではなく、構成要素及び「〜部」は、デバイス内または保安マルチメディアカード内の１またはそれ以上のＣＰＵ（central processing unit）を再生させるようにも具現される。また、多様な実施形態において「〜部」は、１以上のプロセッサを含んでもよい。
【００３０】
無線通信システムは、初期の音声中心のサービスを提供したことから抜け出し、例えば、３ＧＰＰ（３ｒｄ-Generation Partnership Project）のＨＳＰＡ（high speed packet access）、ＬＴＥ（long term evolution）またはＥ−ＵＴＲＡ（evolved universal terrestrial radio access）、ＬＴＥ−Ａ（ＬＴＥ−advanced）、３ＧＰＰ２のＨＲＰＤ（high rate packet data）、ＵＭＢ（ultra mobile broadband）、及びＩＥＥＥの８０２．１６ｅなどの通信標準のように、高速、高品質のパケットデータサービスを提供する広帯域無線通信システムに発展している。また、５世代無線通信システムにおいて、５ＧまたはＮＲ（new radio）の通信標準が作られている。
【００３１】
広帯域無線通信システムの代表的な例として、５ＧシステムまたはＮＲシステムにおいては、下向きリンク（ＤＬ：downlink）及び上向きリンク（ＵＬ：uplink）においては、ＯＦＤＭ（orthogonal frequency division multiplexing）方式を採用している。さらに具体的には、下向きリンクにおいては、ＣＰ−ＯＦＤＭ（cyclic-prefix ＯＦＤＭ）方式が採用され、上向きリンクにおいては、ＣＰ−ＯＦＤＭと共に、ＤＦＴ−Ｓ−ＯＦＤＭ（discrete Fourier transform spreading ＯＦＤＭ）方式の二つが採用された。上向きリンクは、端末（ＵＥ：user equipment）またはモバイルステーション（ＭＳ：mobile station）が基地局（ｇＮｏｄｅＢまたはＢＳ：base station）に、データまたは制御信号を伝送する無線リンクを意味し、下向きリンクは、基地局が端末に、データまたは制御信号を伝送する無線リンクを意味する。前述の多重接続方式は、一般的に、各ユーザ別に、データまたは制御情報を載せて送る時間・周波数資源が互いに重ならないように、すなわち、直交性（orthogonality）がなされるように、割り当ててび運用することにより、各ユーザのデータまたは制御情報を区分することができる。
【００３２】
５ＧシステムまたはＮＲシステムは、初期伝送において、復号失敗が発生した場合、物理階層において、当該データを再伝送するＨＡＲＱ（hybrid automatic repeat request）方式を採用している。ＨＡＲＱ方式とは、受信器がデータを正確に復号（デコーディング）することができない場合、受信器が送信器にデコーディング失敗を知らせる情報（ＮＡＣＫ：negative acknowledgement）を伝送し、送信器が物理階層において当該データを再伝送可能とする。受信器は、送信器が再伝送したデータを、以前にデコーディング失敗したデータと結合し、データ受信性能を高めることになる。また、受信器がデータを正確に復号した場合、送信器にデコーディング成功を知らせる情報（ＡＣＫ：acknowledgement）を伝送し、送信器が新たなデータを伝送可能とする。
【００３３】
一方、新たな５Ｇ通信であるＮＲアクセステクノロジーシステムは、時間資源及び周波数資源において、多様なサービスが自由に多重化されるようにするためにデザインされており、それにより、waveform/numerologyなどや基準信号などが、当該サービスの必要により、動的にまたは自由に割り当てられうる。無線通信において、端末に最適サービスを提供するためには、チャネルの質と干渉量との測定を介する最適化されたデータ送信が重要であり、それにより、正確なチャネル状態測定が必須である。しかし、周波数資源により、チャネル及び干渉の特性が大きく変化しない４Ｇ通信とは異なり、５ＧまたはＮＲチャネルの場合、サービスにより、チャネル及び干渉の特性が大きく変化するために、それらを分けて測定するようにするＦＲＧ（frequency resource group）次元のsubsetの支援が必要である。一方、５ＧシステムまたはＮＲシステムにおいては、支援されるサービスの種類を、ｅＭＢＢ（enhanced mobile broadband）、ｍＭＴＣ（massive machine type communications）、ＵＲＬＬＣ（ultra-reliable and low-latency communications）などのカテゴリーに分けることができる。ｅＭＢＢは、高容量データの高速伝送、ｍＭＴＣは、端末電力最小化、及び多数端末の接続、ＵＲＬＬＣは、高信頼度と低遅延とを目標にするサービスと見ることができる。端末に適用されるサービスの種類により、互いに異なる要求事項が適用されうる。
【００３４】
本開示において、第１信号は、基地局が端末に伝送する信号のうち、端末から応答を期待する信号でもある。例えば、本開示において、該第１信号は、上向きリンクスケジューリング承認信号または下向きリンクデータ信号でもある。また、本開示において、該第２信号は、該第１信号に対応する端末の応答信号でもある。例えば、本開示において、該第２信号は、上向きリンクスケジューリング承認信号に係わる上向きリンクデータ信号、または下向きリンクデータ信号に係わるＨＡＲＱ ＡＣＫ／ＮＡＣＫでもある。
【００３５】
本開示において、該第１信号のサービス種類はｅＭＢＢ、ｍＭＴＣ、ＵＲＬＬＣのカテゴリーに属しうる。しかし、それは例示的なものであり、本発明において、該第１信号のサービス種類は、前述のカテゴリーに限定されるものではない。
【００３６】
本開示において、第１信号のＴＴＩ（transmission time interval）長は、第１信号が伝送される時間の長さを意味するものである。また本開示で第２信号のＴＴＩ長さは、第２信号が送信される時間の長さを意味するものである。また、本開示において、第２信号伝送タイミングは、端末が第２信号をいつ送信し、基地局が第２信号をいつ受信するかということに係わる情報でもあり、第２信号送受信タイミングと同一意味でも使用される。
【００３７】
本開示において、後述される用語は、本開示における機能を考慮して定義された用語であり、それは、ユーザ、運用者の意図または慣例などによっても異なる。従って、その定義は、本明細書全般にわたる内容を基に下されなければならないであろう。以下、基地局は、端末の資源割り当てを行う主体であり、ｇＮｏｄｅＢ（ｇＮＢ）、ｅＮｏｄｅＢ（ｅＮＢ）、ＮｏｄｅＢ、ＢＳ、無線接続ユニット、基地局制御器、またはネットワーク上のノードのうち少なくとも一つでもある。該端末は、ＵＥ、ＭＳ、セルラフォン、スマートフォン、コンピュータ、または通信機能を遂行することができるマルチメディアシステムを含んでもよい。ここで、前記例示に制限されるものではないということは、言うまでもない。
【００３８】
本開示において、下向きリンク（ＤＬ）は、基地局が端末に伝送する信号の無線伝送経路であり、上向きリンクは、（ＵＬ）は、端末が基地局に伝送する信号の無線伝送経路を意味するものである。また、以下において、ＮＲシステムが例示されるが、類似した技術的背景またはチャネル形態を有する多様な通信システムにも、多様な実施形態が適用されうる。また、本開示の多様な実施形態は、当業者の判断をもって、本開示の範囲を大きく外れない範囲において、一部変形を介し、他の通信システムにも適用されうる。
【００３９】
本開示においては、関連技術と係わる物理チャネル（physical channel）及び信号（signal）という用語を、データ信号または制御信号と混用して使用されうる。例えば、ＰＤＳＣＨ（physical downlink shared channel）は、データが伝送される物理チャネルであるが、本開示においては、ＰＤＳＣＨをデータであると言うことができる。
【００４０】
本開示において、上位シグナリングは、基地局から、物理階層の下向きリンクデータチャネルを利用し、端末に伝達する信号の信号伝達方法、または端末から、物理階層の上向きリンクデータチャネルを利用し、基地局に伝達する信号の信号伝達方法でもある。本開示において、該上位シグナリングは、ＲＲＣシグナリングまたはＭＡＣ（medium access control）制御要素（ＣＥ：control element）を含んでもよい。
【００４１】
一方、最近、次世代通信システムに係わる研究が進められることにより、端末との通信をスケジューリングするさまざまな方案が論議されている。それにより、次世代通信システムの特性を考慮した効率的なスケジューリング方案及びデータ送受信方案が要求される実情である。
【００４２】
そのように、通信システムにおいて、複数のサービスがユーザに提供され、そのような複数のサービスをユーザに提供するために、特徴に合うように、各サービスを同一時空間内において提供することができる方法、及びそれを利用した装置が要求される。
【００４３】
図１は、一部実施形態による、５Ｇ、ＮＲ、またはそれと類似したシステムにおける無線資源領域である時間・周波数資源領域の伝送構造を図示した図面である。
【００４４】
図１を参照すれば、無線資源領域において、横軸は、時間領域を示し、縦軸は、周波数領域を示す。時間領域における最小伝送単位は、ＯＦＤＭシンボルであり、Ｎｓｙｍｂ １０２個のＯＦＤＭシンボルが集まり、１つのスロット１０６を構成する。サブフレームの長さは、１．０ｍｓにも定義され、ラジオフレーム１１４は、１０ｍｓにも定義される。周波数領域における最小伝送単位は、サブキャリア（subcarrier）であり、全体システム伝送帯域（transmission bandwidth）の帯域幅は、総ＮＦＢＤＬ １０４個のサブキャリアによっても構成される。ただし、そのような具体的な数値は、システムによって可変的にも適用される。
【００４５】
時間・周波数資源領域の基本単位は、リソースエレメント（ＲＥ：resource element）１１２であり、ＯＦＤＭシンボルインデックス及びサブキャリアインデックスで示すことができる。リソースブロック（ＲＢ：resource block）１０８またはＰＲＢ（physical resource block）は、時間領域において、Ｎｓｙｍｂ １０２個の連続したＯＦＤＭシンボルと、周波数領域において、ＮＲＢ １１０個の連続したサブキャリアによっても定義される。従って、１つのＲＢ １０８は、ＮｓｙｍｂｘＮＲＢ個のＲＥ １１２によっても構成される。
【００４６】
一般的には、データの最小伝送単位は、ＲＢ単位でもある。５ＧシステムまたはＮＲシステムにおいて、一般的に、Ｎｓｙｍｂ＝１４、ＮＲＢ＝１２であり、ＮＦＢＤＬ及びＮＲＢは、システム伝送帯域の帯域幅に比例しうる。端末にスケジューリングされるＲＢ個数に比例し、データレートが増大されうる。５ＧシステムまたはＮＲシステムにおいては、下向きリンクと上向きリンクとを周波数によって区分して運営するＦＤＤシステムの場合、下向きリンク伝送帯域幅と上向きリンク伝送帯域幅とが互いに異なりうる。チャネル帯域幅は、システム伝送帯域幅に対応するＲＦ帯域幅を示すことができる。以下の［表１］は、５Ｇシステム以前またはＮＲシステム以前、４世代無線通信であるＬＴＥシステムに定義されたシステム伝送帯域幅とチャネル帯域幅（channel bandwidth）との対応関係を示す。例えば、１０ＭＨｚチャネル帯域幅を有するＬＴＥシステムは、伝送帯域幅が５０個のＲＢで構成されうる。
【００４７】
【表１】
2021533634.tif 000003
【００４８】
５ＧシステムまたはＮＲシステムにおいては、［表１］で提示されたＬＴＥのチャネル帯域幅よりさらに広いチャネル帯域幅で動作することができる。［表２］は、５ＧシステムまたはＮＲシステムにおいて、システム伝送帯域幅、チャネル帯域幅及びサブキャリアスペーシング（ＳＣＳ：subcarrier spacing）の対応関係を示す。
【００４９】
【表２】
2021533634.tif 000004
【００５０】
５ＧシステムまたはＮＲシステムにおいて、下向きリンクデータまたは上向きリンクデータに係わるスケジューリング情報は、下向きリンク制御情報（ＤＣＩ：downlink control information）を介し、基地局から端末に伝達されうる。ＤＣＩは、さまざまなフォーマットによっても定義され、各フォーマットにより、ＤＣＩが上向きリンクデータに係わるスケジューリング情報（ＵＬ grant）であるかということ、下向きリンクデータに係わるスケジューリング情報（ＤＬ grant）であるかということ、ＤＣＩが制御情報の大きさが小さいコンパクトＤＣＩであるかということ、多重アンテナを使用した空間多重化（spatial multiplexing）を適用するか否かということ、及びＤＣＩが電力制御用ＤＣＩであるか否かということを示すことができる。例えば、下向きリンクデータに係わるスケジューリング制御情報（ＤＬ grant）であるＤＣＩformat １−１は、次のような制御情報のうち少なくとも一つを含んでもよい。
【００５１】
−キャリア指示子：どの周波数キャリアにおいて信号が伝送されるかということを指示する。
−ＤＣＩフォーマット指示子：当該ＤＣＩが下向きリンク用であるか上向きリンク用であるかということを区分する指示者である。
−帯域幅パート（ＢＷＰ：band width part、以下ＢＷＰ）指示子：どのＢＷＰにおいて信号が伝送されるかということを指示する。
−周波数領域資源割り当て：データ伝送に割り当てられた周波数領域のＲＢを指示する。システム帯域幅方式及び資源割り当て方式によって表現する資源が決定されうる。
−時間領域資源割り当て（time domain resource assignment）：どのスロットのどのＯＦＤＭシンボルにおいてデータ関連チャネルが伝送されるかということを指示する。
−ＶＲＢ−to−ＰＲＢマッピング：仮想ＲＢ（ＶＲＢ：virtual ＲＢ）インデックスと物理ＲＢ（ＰＲＢ：physical ＲＢ：ＰＲＢ）インデックスとをどの方式によってマッピングするかということを指示する。
−変調及びコーディング方式（ＭＣＳ：modulation and coding scheme）：データ伝送に使用された変調方式とコーディングレートとを指示する。ＱＰＳＫ（quadrature phase shift keying）であるか、１６ＱＡＭ（quadrature amplitude modulation）であるか、６４ＱＡＭであるか、２５６ＱＡＭであるかということに係わる情報と共に、ＴＢＳ（transport block size）情報及びチャネルコーディング情報を知らせるコーディングレート値を指示する。
−ＣＢＧ伝送情報（codeblock group transmission information）：ＣＢＧ再伝送が設定されたとき、どのＣＢＧが伝送されるかということに係わる情報を指示する。
−ＨＡＲＱプロセス番号（ＨＡＲＱ process number）：ＨＡＲＱのプロセス番号を指示する。
−新たなデータ指示子（new data indicator）：ＨＡＲＱ初期伝送であるか再伝送であるかということを指示する。
−重複バージョン（redundancy version）：ＨＡＲＱの重複バージョン（redundancy version）を指示する。
−ＰＵＣＣＨのための伝送電力制御命令（ＴＰＣ（transmit power control） command for ＰＵＣＣＨ（physical uplink control channel））：上向きリンク制御チャネルであるＰＵＣＣＨに対する伝送電力制御命令を指示する。
【００５２】
前述のＰＵＳＣＨ伝送の場合、時間領域資源割り当ては、ＰＵＳＣＨが伝送されるスロットに係わる情報、及び当該スロットにおける開始ＯＦＤＭシンボル位置Ｓと、ＰＵＳＣＨがマッピングされるＯＦＤＭシンボル個数Ｌとによって伝達されうる。前述のＳは、スロットの開始から相対的な位置でもあり、Ｌは、連続したＯＦＤＭシンボル個数でもある。ＳとＬは、下記のように定義される開始及び距離指示子値（ＳＬＩＶ：start and length indicator value：ＳＬＩＶ）から決定されうる。
ｉｆ（Ｌ−１）≦７ then
ＳＬＩＶ＝１４・（Ｌ−１）＋Ｓ
else
ＳＬＩＶ＝１４・（１４−Ｌ＋１）＋（１４−１−Ｓ）
where ０＜Ｌ≦１４−Ｓ
【００５３】
５ＧシステムまたはＮＲシステムにおいては、端末は、一般的に、ＲＲＣ設定を介し、１行にＳＬＩＶ値、ＰＵＳＣＨマッピングタイプ、及びＰＵＳＣＨが伝送されるスロットに係わる情報が含まれた表を設定されうる。その後、ＤＣＩの時間領域資源割り当てにおいては、前述の設定された表におけるインデックス値を指示することにより、基地局が端末に、ＳＬＩＶ値、ＰＵＳＣＨマッピングタイプ、及びＰＵＳＣＨが伝送されるスロットに係わる情報を伝達することができる。
【００５４】
５ＧシステムまたはＮＲシステムにおいて、ＰＵＳＣＨマッピングタイプは、タイプＡ（type Ａ）とタイプＢ（type Ｂ）とに定義されうる。ＰＵＳＣＨマッピングタイプＡにおいては、スロットの２番目または３番目のＯＦＤＭシンボルに、ＤＭＲＳ（demodulation reference signal） ＯＦＤＭシンボルのうち最初ＯＦＤＭシンボルが位置することができる。ＰＵＳＣＨマッピングタイプＢにおいては、ＰＵＳＣＨ伝送によって割り当てられた時間領域資源の最初ＯＦＤＭシンボルに、ＤＭＲＳ ＯＦＤＭシンボルのうち最初ＯＦＤＭシンボルが位置することができる。
【００５５】
ＤＣＩは、チャネルコーディング及び変調過程を経て、下向きリンク物理制御チャネルであるＰＤＣＣＨ（または、制御情報、以下、混用しても使用する）上でも伝送される。
【００５６】
一般的に、ＤＣＩは、各端末に対して独立して、特定ＲＮＴＩ（radio network temporary identifier）（または、端末識別子）でスクランブルされ、ＣＲＣ（cyclic redundancy check）が追加され、チャネルコーディングされた後、それぞれ独立したＰＤＣＣＨに構成されて伝送されうる。ＰＤＣＣＨは、端末に設定された制御資源集合（ＣＯＲＥＳＥＴ：control resource set）でにッピングされて伝送されうる。
【００５７】
下向きリンクデータは、下向きリンクデータ伝送用物理チャネルであるＰＤＳＣＨ上においても伝送されうる。該ＰＤＳＣＨは、制御チャネル伝送区間以後から伝送され、周波数領域における具体的なマッピング位置、変調方式などのスケジューリング情報は、ＰＤＣＣＨを介して伝送されるＤＣＩを基に決定されうる。
【００５８】
ＤＣＩを構成する制御情報において、ＭＣＳを介して基地局は、端末に伝送するＰＤＳＣＨに適用された変調方式と、伝送するデータサイズ（ＴＢＳ：transport block size）を通知することができる。一部実施形態によれば、ＭＣＳは、５ビット、またはそれよりさらに大きいか、あるいは小さいビットによっても構成される。該ＴＢＳは、基地局が伝送するデータ（ＴＢ：transport block）に、エラー訂正のためのチャネルコーディングが適用される以前のデータサイズでもある。
【００５９】
本開示において、トランスポートブロック（ＴＢ）は、ＭＡＣ（medium access control）ヘッダ、ＭＡＣ制御要素（ＣＥ：control element）、１個以上のＭＡＣ ＳＤＵ（service data unit）及びパッディング（padding）ビットなどを含んでもよい。また、ＴＢは、ＭＡＣ階層から物理階層（physical layer）に下がるデータの単位、またはＭＡＣ ＰＤＵ（protocol data unit）を示すことができる。
【００６０】
５ＧシステムまたはＮＲシステムで支援する変調方式は、ＱＰＳＫ、１６ＱＡＭ、６４ＱＡＭ及び２５６ＱＡＭであり、それぞれの変調オーダー（modulation order）Ｑｍは、２、４、６、８に該当する。ＱＰＳＫ変調の場合、シンボル当たり２ビット、１６ＱＡＭ変調の場合、ＯＦＤＭシンボル当たり４ビット、６４ＱＡＭ変調の場合、シンボル当たり６ビットを伝送することができ、２５６ＱＡＭ変調の場合、シンボル当たり８ビットを伝送することができる。
【００６１】
図２は、一部実施形態による、５Ｇ、ＮＲ、またはそれと類似したシステムにおいて、ｅＭＢＢ用データ、ＵＲＬＬＣ用データ、ｍＭＴＣ用データを、周波数・時間資源領域において割り当てる方法について説明するための図面である。
【００６２】
図２を参照すれば、開示された一部実施形態により、全体システム周波数帯域（system bandwidth）２００に、ｅＭＢＢ用データ、ＵＲＬＬＣ用データ、ｍＭＴＣ用データが割り当てられうる。ｅＭＢＢ ２０１とｍＭＴＣ ２０９とが特定周波数帯域に割り当てられて伝送されている最中に、ＵＲＬＬＣデータ２０３，２０５，２０７が発生し、ＵＲＬＬＣデータ２０３，２０５，２０７の伝送が必要である場合、全体システム周波数帯域２００において、ｅＭＢＢ ２０１及びｍＭＴＣ ２０９がすでに割り当てられた部分が空くか、あるいはｅＭＢＢ ２０１及びｍＭＴＣ ２０９が伝送されず、ＵＲＬＬＣデータ２０３，２０５，２０７が伝送されうる。
【００６３】
前述のサービスにおいて、ＵＲＬＬＣは、遅延時間を短縮させる必要があるために、ｅＭＢＢが割り当てられた資源 ２０１の一部分に、ＵＲＬＬＣデータが割り当て（２０３，２０５，２０７）られて伝送されうる。ｅＭＢＢが割り当てられた資源において、ＵＲＬＬＣが追加して割り当てられて伝送される場合、重複される周波数・時間資源においては、ｅＭＢＢデータが伝送されないのである。従って、ｅＭＢＢデータの伝送性能が低くなり、ＵＲＬＬＣ割り当てによるｅＭＢＢデータ伝送失敗が発生しうる。
【００６４】
図３は、一部実施形態による、５Ｇ、ＮＲ、またはそれと類似したシステムにおいて、端末が第１信号を受信し、それに対する応答として、第２信号を端末が送信するとき、タイミングアドバンスによる端末のプロセッシング時間について説明するための図面である。
【００６５】
一部実施形態によれば、端末は、スロットｎ ３０４において第１信号を受信した場合、端末は、スロット（ｎ＋４）３０６において、第１信号に対応する第２信号を伝送することができる。基地局は、スロットｎ ３０２において第１信号を送信した場合、スロット（ｎ＋４）３０８において第２信号を受信することができる。
【００６６】
図３を参照すれば、スロットｎ ３０２において、基地局が、上向きリンクスケジューリング承認、下向きリンク制御信号または下向きリンクデータを端末に送信すれば、該端末は、スロットｎ ３０４において、上向きリンクスケジューリング承認、下向きリンク制御信号または下向きリンクデータを受信することができる。該端末は、基地局が伝送した時間より、伝達遅延時間（ＴＰ：propagation delay）３１０ほど第１信号を遅く受信することができる。該端末は、第２信号を基地局に送信するとき、第２信号が特定時間に基地局に到着するようにするために、端末が受信した第１信号基準で、スロット（ｎ＋４）より、タイミングアドバンス（ＴＡ：timing advance）３１２ほど先だったタイミング３０６で、上向きリンクデータまたは下向きリンクデータに係わるＨＡＲＱ ＡＣＫ／ＮＡＣＫを伝送することができる。
【００６７】
端末が上向きリンクスケジューリング承認を受け、上向きリンクデータ伝送を行うか、あるいは下向きリンクデータを受信し、ＨＡＲＱ ＡＣＫまたはＮＡＣＫを伝達するために準備することができる時間は、３個スロットに該当する時間からＴＡを除いた時間３１４でもある。
【００６８】
前述のタイミング決定のために、基地局は、当該端末のＴＡ絶対値を計算することができる。該基地局は、該端末が初期接続したとき、ランダムアクセス（random access）段階において、最初に端末に伝達したＴＡ値に、その後、上位シグナリングに伝達したＴＡ値の変化量を加減しながら、ＴＡ絶対値を計算することができる。本開示において、ＴＡ絶対値は、端末が送信するｎ番目ＴＴＩの開始時間から、端末が受信したｎ番目ＴＴＩの開始時間を差し引いた値３１２にもなる。
【００６９】
一方、セルラ無線通信システム性能の重要な基準のうち一つは、パケットデータ遅延時間（latency）である。ＬＴＥシステムにおいては、１ｍｓの送信時間区間（ＴＴＩ）を有するサブフレーム単位でｍ信号の送受信がなされうる。ＬＴＥシステムにおいては、１ｍｓより短い伝送時間区間を有する端末（short−ＴＴＩ ＵＥ）を支援することができる。５ＧシステムまたはＮＲシステムにおいて、伝送時間区間は、１ｍｓより短くもある。short−ＴＴＩ端末は、遅延時間が重要であるＶｏＬＴＥ（voice over ＬＴＥ）サービス、遠隔操縦のようなサービスにも適する。また、short−ＴＴＩ端末は、セルラ基盤でもって、ミッションクリティカル（mission critical）な事物インターネット（ＩｏＴ）を実現することができる手段でもある。
【００７０】
一部実施形態によれば、５ＧシステムまたはＮＲシステムにおいて、基地局は、下向きリンクデータを含むＰＤＳＣＨ伝送時、ＰＤＳＣＨをスケジューリングするＤＣＩにおいて、ＰＤＳＣＨのＨＡＲＱ−ＡＣＫ情報を端末が伝送するタイミング情報に該当する値であるＫ１値を指示することができる。
【００７１】
ＨＡＲＱ−ＡＣＫ情報がタイミングアドバンス（timing advance）を含み、ＯＦＤＭシンボルＬ１より先に伝送されるように指示されない場合、端末は、ＨＡＲＱ−ＡＣＫ情報を基地局に伝送することができる。該ＨＡＲＱ−ＡＣＫ情報は、タイミングアドバンスを含み、ＯＦＤＭシンボルＬ１と同じであるか、あるいはその後の時点に端末から基地局にも伝送される。
【００７２】
ＨＡＲＱ−ＡＣＫ情報がタイミングアドバンスを含み、ＯＦＤＭシンボルＬ１より先に伝送されるように指示された場合、端末から基地局に伝送されるＨＡＲＱ−ＡＣＫ情報は、有効なＨＡＲＱ−ＡＣＫ情報ではないのである。ＯＦＤＭシンボルＬ１は、ＰＤＳＣＨの最後ＯＦＤＭシンボルの最後時点からＴｐｒｏｃ，１以後、ＣＰ（cyclic prefix）が始まる最初上向きリンクＯＦＤＭシンボルでもある。Ｔｐｒｏｃ，１は、下記数式１のように計算されうる。
【００７３】
【数１】
2021533634.tif 000005
前述の数式１において、Ｎ１、ｄ１，１、ｄ１，２、κ、μ、Ｔｃは、下記のようにも定義される。
【００７４】
−Ｎ１は、［表２］と［表３］とに提示されたμ値に基づいても定義され、μ値は、（μＰＤＣＣＨ、μＰＤＳＣＨ、μＵＬ）のうち最も大きいＴｐｒｏｃ，１を生成する値と一致しうる。μ値は、μ＝ｍｉｎ（μＰＤＣＣＨ，μＰＤＳＣＨ，μＵＬ）でもある。μＰＤＣＣＨは、ＰＤＳＣＨをスケジューリングするＰＤＣＣＨのサブキャリアスペーシングを意味するものである。μＰＤＳＣＨは、スケジューリングされたＰＤＳＣＨのサブキャリアスペーシングを意味するものである。μＵＬは、ＨＡＲＱ−ＡＣＫが伝送される上向きリンクチャネルのサブキャリアスペーシングを意味するものである。
【００７５】
−ＨＡＲＱ−ＡＣＫがＰＵＣＣＨ（上向きリンク制御チャネル）に伝送されれば、ｄ１，１＝０でもあり、ＰＵＳＣＨ（上向きリンク共有チャネル、データチャネル）に伝送されれば、ｄ１，１＝１でもある。
−端末が複数個の活性化された構成キャリアまたはキャリアを設定された場合、キャリア間最大タイミング差は、第２信号伝送にも反映される。
【００７６】
−ＰＤＳＣＨがマッピングタイプＡである場合（最初ＤＭＲＳ ＯＦＤＭシンボル位置がスロットの３番目 ＯＦＤＭシンボルまたは４番目ＯＦＤＭシンボルである場合）、ＰＤＳＣＨの最後ＯＦＤＭシンボルの位置インデックスｉが７より小さければ、ｄ１，２＝７−ｉでもある。それ以外では、ｄ１，２＝０でもある。
【００７７】
−ＵＥ processing capability １につき、ＰＤＳＣＨがマッピングタイプＢである場合（最初ＤＭＲＳ ＯＦＤＭシンボル位置がＰＤＳＣＨの最初ＯＦＤＭシンボルである場合）、割り当てられたＰＤＳＣＨの長さが４ＯＦＤＭシンボルであるならば、ｄ１，２＝３でもあり、割り当てられたＰＤＳＣＨの長さが２ＯＦＤＭシンボルであるならば、ｄ１，２＝３＋ｄでもある。ここで、ｄは、スケジューリングされたＰＤＳＣＨとＰＤＳＣＨとをスケジューリングする制御信号を含むＰＤＣＣＨが重なるＯＦＤＭシンボルの数でもある。それ以外では、ｄ１，２＝０でもある。
【００７８】
−ＵＥ processing capability ２につき、ＰＤＳＣＨがマッピングタイプＢである場合（最初ＤＭＲＳ ＯＦＤＭシンボル位置がＰＤＳＣＨの最初ＯＦＤＭシンボルである場合）、割り当てられたＰＤＳＣＨの長さが２ＯＦＤＭシンボルまたは４ＯＦＤＭシンボルであるならば、ｄ１，２は、スケジューリングされたＰＤＳＣＨとＰＤＳＣＨとをスケジューリングする制御信号を含むＰＤＣＣＨが重なるＯＦＤＭシンボルの数でもある。それ以外では、ｄ１，２＝０でもある。
【００７９】
−Ｎ１は、μ値により、下記の［表２］または［表３］のようにも定義される。μ＝０，１，２，３は、それぞれサブキャリアスペーシング１５ｋＨｚ，３０ｋＨｚ，６０ｋＨｚ，１２０ｋＨｚを意味するものである。
【００８０】
【表３】
2021533634.tif 000006
【００８１】
【表４】
2021533634.tif 000007
−Ｎ１値は、ＵＥのＰＤＳＣＨ processing capabilityにより、［表３］または［表４］のようにも定義される。
【００８２】
−数式１において、Ｔｃ＝１／（△ｆｍａｘ・Ｎｆ）、△ｆｍａｘ＝４８０・１０３Ｈｚ、Ｎｆ＝４０９６、κ＝Ｔ３／Ｔｃ＝６４、Ｔｓ＝１／（△ｆｒｅｆ・Ｎｆ，ｒｅｆ）、△ｆｒｅｆ＝１５・１０３Ｈｚ、Ｎｆ，ｒｅｆ＝２０４８ともそれぞれ定義される。
【００８３】
一部実施形態によれば、５ＧシステムまたはＮＲシステムにおいては、基地局は、上向きリンクスケジューリング承認を含む制御情報伝送時、端末が、上向きリンクデータまたはＰＵＳＣＨを伝送するタイミング情報に該当するＫ２値を指示することができる。
【００８４】
ＰＵＳＣＨがタイミングアドバンスを含み、ＯＦＤＭシンボルＬ２より先に送られるように指示されない場合、該端末は、ＰＵＳＣＨを基地局に伝送することができる。ＰＵＳＣＨは、タイミングアドバンスを含み、ＯＦＤＭシンボルＬ２と同じであるか、あるいはその後の時点で端末から基地局に伝送されうる。
【００８５】
ＰＵＳＣＨがタイミングアドバンスを含み、ＯＦＤＭシンボルＬ２より先に送られるように指示された場合、該端末は、基地局からの上向きリンクスケジューリング承認制御情報を無視することができる。ＯＦＤＭシンボルＬ２は、スケジューリング承認を含むＰＤＣＣＨの最後のＯＦＤＭシンボルの最後の時点からＴｐｒｏｃ，２以後に伝送されなければならないＰＵＳＣＨＯＦＤＭシンボルのＣＰが始まる最初ＯＦＤＭシンボルでもある。Ｔｐｒｏｃ，２は、下記数式２のようにも計算される。
【００８６】
【数２】
2021533634.tif 000008
前述の数式２で、Ｎ２、ｄ２，１、ｄ２，２、ｄ２，３、κ、μ、Ｔｃは、下記のようにも定義される。
【００８７】
−Ｎ２は、［表５］と［表６］とに提示されたμ値に基づいて定義され、μ値は、（μＤＬ、μＵＬ）において、最も大きいＴｐｒｏｃ，１を生成する値と一致しうる。μ値は、μ＝ｍｉｎ（μＤＬ，μＵＬ）でもある。μＤＬは、ＰＵＳＣＨをスケジューリングするＤＣＩを含むＰＤＳＣＨが伝送される下向きリンクチャネルのサブキャリアスペーシングを意味するものである。μＵＬは、ＰＵＳＣＨが伝送される上向きリンクチャネルのサブキャリアスペーシングを意味するものである。
【００８８】
−ＰＵＳＣＨが割り当てられたＯＦＤＭシンボルのうち最初ＯＦＤＭシンボルがＤＭＲＳのみを含むならば、ｄ２，１＝０でもあり、それ以外では、ｄ２，１＝１でもある。
−ＨＡＲＱ−ＡＣＫが、前記スケジューリングされたＰＵＳＣＨに多重化された場合、ｄ２，２＝１でもあり、それ以外では、ｄ２，２＝０でもある。
−端末が複数個の活性化された構成キャリアまたはキャリアを設定された場合、キャリア間最大タイミング差は、第２信号伝送においても反映される。
【００８９】
−帯域幅パート（ＢＷＰ）スイッチングを指示するＤＣＩがスケジューリングされる場合、ｄ２，３は、ＢＷＰスイッチングに必要となる所要時間を意味するものである。それ以外では、ｄ２，３＝０でもある。
−Ｎ２は、μ値により、下記の［表５］または［表６］のようにも定義される。μ＝０，１，２，３は、それぞれサブキャリアスペーシング１５ｋＨｚ，３０ｋＨｚ，６０ｋＨｚ，１２０ｋＨｚを意味するものである。
【００９０】
【表５】
2021533634.tif 000009
【００９１】
【表６】
2021533634.tif 000010
−Ｎ２値は、ＵＥのＰＵＳＣＨ timing capabilityにより、［表４］または［表５］のようにも定義される。
【００９２】
−数式２において、Ｔｃ＝１／（△ｆｍａｘ・Ｎｆ）、△ｆｍａｘ＝４８０・１０３Ｈｚ、Ｎｆ＝４０９６、κ＝Ｔ３／Ｔｃ＝６４、Ｔｓ＝１／（△ｆｒｅｆ・Ｎｆ，ｒｅｆ）、△ｆｒｅｆ＝１５・１０３Ｈｚ、Ｎｆ，ｒｅｆ＝２０４８ともそれぞれ定義される。
【００９３】
図４は、一部実施形態による、５ＧシステムまたはＮＲシステムにおいて、端末が第１信号を受信し、第１信号に対する応答として、第２信号を端末が送信するとき、多数ＨＡＲＱ発生による端末のプロセッシングについて説明するための図面である。
【００９４】
図４を参照するとき、一部実施形態によれば、基地局は、ｎ番目ＨＡＲＱプロセス４００を介し、第１信号４０４を端末に送信し、該端末は、第１信号４０４に対応する第２信号４０６を基地局に送信することができる。該端末は、第１信号４０４と第２信号４０６との時間間隔４１２が、Ｔｐｒｏｃ，１（または、Ｔｐｒｏｃ，２）より長いか、あるいは同じである場合、第２信号４０６を基地局に送信することができる。第１信号４０４と第２信号４０６との時間間隔４１２がＴｐｒｏｃ，１（または、Ｔｐｒｏｃ，２）より短い場合、該端末は、第２信号伝送を無視するか、あるいは第２信号送信をドロップするか、あるいは有効ではない第２信号を基地局に送信することができる。
【００９５】
一部実施形態によれば、基地局は、ｋ番目ＨＡＲＱプロセス４０２を介し、第１信号４０８を端末に送信し、該端末は、第１信号４０８に対応する第２信号４１０を基地局に送信することができる。該端末は、第１信号４０８と第２信号４１０との時間間隔４１４がＴｐｒｏｃ，１（または、Ｔｐｒｏｃ，２）より長いか、あるいは同じである場合、第２信号４１０を基地局に送信することができる。第１信号４０８と第２信号４１０との時間間隔４１４がＴｐｒｏｃ，１（または、Ｔｐｒｏｃ，２）より短い場合、端末は、第２信号伝送を無視するか、第２信号送信をドロップするか、ありは有効ではない第２信号を基地局に送信することができる。
【００９６】
一部実施形態によれば、端末プロセス４２０は、ｎ番目ＨＡＲＱプロセス４００とｋ番目ＨＡＲＱプロセス４０２との第１信号と第２信号との送受信のための端末処理を含んでもよい。第１信号が下向きリンクデータ情報であり、第２信号がＨＡＲＱ−ＡＣＫ情報である場合、第１信号と第２信号との送受信のための端末処理を行う端末プロセッサは、チャネル推定、復調、復号及びＨＡＲＱ−ＡＣＫ準備ブロックなどによっても構成される。該端末は、ＨＡＲＱプロセス数と関係なく、それぞれのブロックを一つずつ使用することができる。
【００９７】
一部実施形態によれば、端末は、ｎ番目ＨＡＲＱプロセス４００の第１信号４０４と第１信号４０４とに対応する第２信号４０６処理のために、チャネル推定４２２、復調４２４、復号４２６、ＨＡＲＱ−ＡＣＫ準備４２８のプロセスを遂行することができる。また、該端末は、ｋ番目ＨＡＲＱプロセス４０２の第１信号４０８と第１信号４０８とに対応する第２信号４１０の処理のために、チャネル推定４３０、復調４３２、復号４３４、ＨＡＲＱ−ＡＣＫ準備４３６の過程を遂行することができる。
【００９８】
５ＧシステムまたはＮＲシステムにおいて、端末は、基本的に、パイプライン動作で多数個のＨＡＲＱプロセスそれぞれの第１信号と、それぞれの第１信号に対応するそれぞれの第２信号とを処理することができる。端末プロセッサを構成するそれぞれのブロックは、図４に図示されているように、ＨＡＲＱプロセス別に並列的に動作することができる。例えば、図４において、ｎ番目ＨＡＲＱプロセス４００の第１信号４０４処理のためのチャネル推定プロセス４２２（あるいは、復調プロセス４２４、復号プロセス４２６またはＨＡＲＱ ＡＣＫ準備プロセス４２８）が完了するまでは、ｋ番目ＨＡＲＱプロセス４０２の第１信号４０８処理のためのチャネル推定プロセス４３０（あるいは、復調プロセス４３２、復号プロセス４３４またはＨＡＲＱ ＡＣＫ準備プロセス４３６）が可能ではないのである。該端末は、パイプライン動作を介し、少ない資源（例えば、プロセッサを構成するブロックの数または性能など）を使用しながら、多数のＨＡＲＱプロセスを支援することができる。
【００９９】
図５は、一部実施形態による、ＤＬ ＳＰＳ動作またはＵＬ grant type ２動作について説明するための図面である。
図５を参照するとき、ＤＬ ＳＰＳは、downlink semi-persistent schedulingを意味し、該ＤＬ ＳＰＳは、基地局が端末に、特定下向き制御情報スケジューリングなしに、上位シグナリングによって設定された情報を基に、周期的に下向きデータ情報を送受信する方法を意味するものである。ＤＬ ＳＰＳは、ＶｏＩＰ（voice over internet protocol）、または周期的に発生するトラフィック状況においても適用される。該端末は、上位シグナリングによって設定された下向きリンク資源領域で下向きデータ受信を遂行することができる。基地局は、上位シグナリングによって設定された下向きリンク資源領域の活性化（activation）または非活性化（release）をＬ１シグナリングによって行うことができる。
【０１００】
ＵＬ grant type ２またはＵＬ grant type １は、基地局が端末に、特定下向き制御情報スケジューリングなしに、上位シグナリングによって設定された情報を基に、周期的に上向きデータ情報を送受信する方法である。ＵＬ grant type ２またはＵＬ grant type １は、ＶｏＩＰ、または周期的に発生するトラフィック状況においても適用される。端末は、上位シグナリングによって設定された上向きリンク資源領域において、上向きデータ送信を行うことができる。ＵＬ grant type ２は、上位シグナリングによって設定された上向きリンク資源領域の活性化または非活性化を、Ｌ１シグナリングによって行う方法である。ＵＬ grant type １は、別途のＬ１シグナリングなしに、上位シグナリングによって設定された上向きリンク資源領域を端末が活性化されたと判断することが可能な方法である。
【０１０１】
端末は、ＳＰＳまたはＵＬ grant type ２スケジューリングの活性化たは非活性化のために、次の２種条件がいずれも満足される場合、ＤＬ ＳＰＳ assignment ＰＤＣＣＨまたはconfigured ＵＬ grant type ２ ＰＤＣＣＨを検証する。
【０１０２】
−ＰＤＣＣＨで伝送されるＤＣＩフォーマットのＣＲＣビットが上位シグナリングによって設定されたＣＳ−ＲＮＴＩでスクランブリングされた場合
−活性化された伝送ブロックのためのＮＤＩ（new data indicator）フィールドが０に設定された場合
ＤＬ ＳＰＳ assignment ＰＤＣＣＨまたはconfigured ＵＬ grant type ２ ＰＤＣＣＨによって伝送されるＤＣＩ formatを構成するフィールドのうち一部が、［表７］または［表８］に提示されたフィールド構成と同一である場合、端末は、ＤＣＩ format内の情報が、ＤＬ ＳＰＳまたはＵＬ grant type ２の有効な活性化であるか、あるいは有効な非活性化と判断することができる。例えば、端末が［表７］に提示された情報を含むＤＣＩ formatを検出する場合、該端末は、ＤＬ ＳＰＳまたはＵＬ grant type ２が活性化されたと判断することができる。また、端末が［表８］に提示された情報を含むＤＣＩ formatを検出する場合、端末は、ＤＬ ＳＰＳまたはＵＬ grant type ２が非活性化されたと判断することができる。
【０１０３】
ＤＬ ＳＰＳ assignment ＰＤＣＣＨまたはconfigured ＵＬ grant type ２ ＰＤＣＣＨによって伝送されるＤＣＩ formatを構成するフィールドのうち一部が、［表７］または［表８］に提示されたフィールド構成と同一ではない場合、端末は、ＤＣＩ formatがマッチングされないＣＲＣが検出されたと判断することができる。
【０１０４】
【表７】
2021533634.tif 000011
【０１０５】
【表８】
2021533634.tif 000012
【０１０６】
端末は、ＰＤＣＣＨ受信なしに ＰＤＳＣＨを受信するか、あるいはＳＰＳ ＰＤＳＣＨ非活性化を指示するＰＤＣＣＨを受信する場合、受信されたＰＤＳＣＨまたはＰＤＣＣＨに対応するＨＡＲＱ−ＡＣＫ情報ビットを生成することができる。また、端末は、１つのＰＵＣＣＨ資源に２以上のＳＰＳ ＰＤＳＣＨ受信に係わるＨＡＲＱ−ＡＣＫ情報を伝送することを期待しないのである。端末は、１つのＰＵＣＣＨ資源に、１つのＳＰＳ ＰＤＳＣＨ受信に係わるＨＡＲＱ−ＡＣＫ情報のみを含んでもよい。
【０１０７】
ＤＬ ＳＰＳは、Ｐ（primary） cell及びＳ（secondary） cellにおいても設定される。ＤＬ ＳＰＳは、１cellグループ内の２つserving cell以上については、設定されない。ＤＬ ＳＰＳ上位シグナリングによって設定されうるパラメータは、次の通りである。
−periodicity：ＤＬ ＳＰＳの伝送周期
−ｎｒｏｆＨＡＲＱ−processes：ＤＬ ＳＰＳのために設定されうるＨＡＲＱ process数
−ｎ１ＰＵＣＣＨ−ＡＮ：ＤＬ ＳＰＳに係わるＰＵＣＣＨ ＨＡＲＱ資源であり、基地局は、ＰＵＣＣＨ format ０または１と資源を設定
【０１０８】
図６は、一部実施形態による、端末が基地局から受信したＤＬ ＳＰＳ非活性化に係わる第１信号に対応し、第２信号を基地局に送信するために必要なプロセッシング時間を決定する方法を図示したフローチャートである。
以下においては、説明の便宜のために、第２信号を基地局に送信するために必要なプロセッシング時間を、プロセッシング時間とつづめて称する。
【０１０９】
一部実施形態によれば、端末は、ＤＬ ＳＰＳを非活性化するために、［表８］の構成情報を含む第１信号（例えば、ＤＬ ＳＰＳ scheduling release）を受信し、第１信号に対応する第２信号（例えば、ＨＡＲＱ−ＡＣＫ情報）を基地局に送信することができる。第２信号は、第１信号が伝送されるＰＤＣＣＨの最後シンボルからＮシンボル以後に伝送されうる。Ｎ３値は、サブキャリアスペーシングによっても異なり、［表９］は、サブキャリアスペーシングによるＮ値を示している。該第２信号が、第１信号が伝送されるＰＤＣＣＨの最後シンボルからＮシンボル以前に伝送されることによってスケジューリングされた場合、該端末は、有効ではない第２信号を基地局に送信するか、あるいは第２信号を送信しないのである。
【０１１０】
【表９】
2021533634.tif 000013
図６を参照すれば段階６１０において、端末は、基地局から第１信号を受信することができる。
【０１１１】
一部実施形態によれば、端末が基地局から受信した第１信号は、ＤＬ ＳＰＳを非活性化するための情報を含んでもよい。ＤＬ ＳＰＳを非活性化するための情報は、ＤＣＩの一部として、第１信号にも含まれる。ＤＬ ＳＰＳを非活性化するための情報は、［表８］の構成情報を含んでもよい。
【０１１２】
段階６２０において、端末は、第１信号に対応し、第２信号を基地局に送信するために必要なプロセッシング時間決定に利用するサブキャリアスペーシング値を決定することができる。
【０１１３】
一部実施形態によれば、該第２信号は、第１信号に係わるＨＡＲＱ ＡＣＫ／ＮＡＣＫでもある。例えば、該第２信号は、ＤＬ ＳＰＳを非活性化するための情報を含む第１信号に係わるＨＡＲＱ ＡＣＫ信号でもある。
【０１１４】
一部実施形態によれば、端末は、第１信号が受信されたＰＤＣＣＨのサブキャリアスペーシング値を、端末がプロセッシング時間決定に利用するサブキャリアスペーシング値に決定することができる。ここで、第１信号が受信されたＰＤＣＣＨのサブキャリアスペーシング値は、ＰＤＣＣＨスケジューリングに適用されたサブキャリアスペーシング値を意味するものである。
【０１１５】
端末は、ＰＤＣＣＨによって伝送される多数のＰＤＣＣＨ候補をブラインドデコーディングするのに必要となる時間を考慮し、端末がプロセッシング時間決定に利用するサブキャリアスペーシング値を決定することができる。例えば、該端末は、プロセッシング時間決定に利用するサブキャリアスペーシング値を、第１信号が受信されたＰＤＣＣＨのサブキャリアスペーシング値に決定することができる。
【０１１６】
一部実施形態によれば、端末は、第２信号を送信する上向きリンクチャネルのサブキャリアスペーシング値を、端末がプロセッシング時間決定に利用するサブキャリアスペーシング値に決定することができる。ここで、端末が第２信号を送信する上向きリンクチャネルのサブキャリアスペーシング値は、端末が第２信号を送信する上向きリンクチャネルスケジューリングに適用されたサブキャリアスペーシング値を意味するものである。
【０１１７】
端末は、ＤＬ ＳＰＳ scheduling releaseを指示する第１信号（例えば、ＤＣＩ）を受信した以後、ＨＡＲＱ−ＡＣＫ生成に必要となる時間を考慮し、端末がプロセッシング時間決定に利用するサブキャリアスペーシング値を決定することができる。例えば、該端末は、端末がプロセッシング時間決定に利用するサブキャリアスペーシング値を、端末がＨＡＲＱ−ＡＣＫ情報を含む第２信号を基地局に伝送する上向きリンクチャネルのサブキャリアスペーシング値に決定することができる。
【０１１８】
一部実施形態によれば、端末は、プロセッシング時間決定に利用するサブキャリアスペーシング値を、第１信号が受信されたＰＤＣＣＨのサブキャリアスペーシング値と、端末が第２信号を基地局に送信する上向きリンクチャネルのサブキャリアスペーシング値とのうち小さい値に決定することができる。
【０１１９】
一部実施形態によれば、端末は、プロセッシング時間決定に利用するサブキャリアスペーシング値を、第１信号が受信されたＰＤＣＣＨのサブキャリアスペーシング値と、端末が第２信号を基地局に送信する上向きリンクチャネルのサブキャリアスペーシング値とのうち大きい値に決定することができる。
段階６３０において、端末は、第２信号を送信する上向きリンクチャネルを決定することができる。
一部実施形態によれば、該端末は、第２信号を送信する上向きリンクチャネルにＰＵＣＣＨを決定することができる。
【０１２０】
一部実施形態によれば、端末は、第２信号を送信する上向きリンクチャネルにＰＵＳＣＨを決定することができる。例えば、端末がＨＡＲＱ−ＡＣＫ情報を、ＰＵＳＣＨに多重化して送信する場合、該端末は、第２信号を送信する上向きリンクチャネルにＰＵＳＣＨを決定することができる。
【０１２１】
段階６４０において、端末は、プロセッシング時間決定に利用するサブキャリアスペーシング値、及び第２信号を送信する上向きリンクチャネルに基づき、プロセッシング時間を決定することができる。
【０１２２】
一部実施形態によれば、端末が第２信号を送信する上向きリンクチャネルにＰＵＣＣＨを決定する場合、該端末は、プロセッシング時間決定に利用するサブキャリアスペーシング値に対応する既設定値にプロセッシング時間を決定することができる。プロセッシング時間決定に利用するサブキャリアスペーシング値に対応する既設定値は、［表９］に提示されたＮ値でもある。
【０１２３】
端末は、第１信号が受信されるＰＤＣＣＨのサブキャリアスペーシング値を、プロセッシング時間決定に利用するサブキャリアスペーシング値に決定し、ＰＤＣＣＨのサブキャリアスペーシング値に対応する［表９］に提示されたＮ値を、プロセッシング時間に決定することができる。例えば、ＰＤＣＣＨのサブキャリアスペーシング値が１５ｋＨｚである場合、端末は、プロセッシング時間をＮ＝１０シンボルに決定することができる。
【０１２４】
一部実施形態によれば、端末が第２信号を送信する上向きリンクチャネルにＰＵＳＣＨを決定した場合、該端末は、プロセッシング時間決定に利用するサブキャリアスペーシング値に対応する既設定値と補償時間とに基づき、プロセッシング時間を決定することができる。
【０１２５】
プロセッシング時間決定に利用するサブキャリアスペーシング値に対応する既設定値は、［表９］に提示されたＮ値でもある。端末は、第１信号が受信されるＰＤＣＣＨのサブキャリアスペーシング値を、プロセッシング時間決定に利用するサブキャリアスペーシング値に決定し、ＰＤＣＣＨのサブキャリアスペーシング値に対応する［表９］に提示されたＮ値を決定することができる。
【０１２６】
端末は、決定されたＮ値に補償時間を加えた値を、プロセッシング時間に決定することができる。例えば、該端末は、決定されたＮ値に、補償時間のｋシンボルを加えた（Ｎ＋ｋ）をプロセッシング時間に決定することができる。ここで、ｋは、１以上の自然数でもある。
【０１２７】
ＨＡＲＱ−ＡＣＫ情報がＰＵＳＣＨに多重化される場合、端末は、ＨＡＲＱ−ＡＣＫ情報を含む第２信号を送信するためのプロセッシング時間がさらに必要にもなる。従って、該端末は、第２信号をＰＵＣＣＨによって送信する場合と比較し、第２信号を送信するために必要なプロセッシング時間がさらに多く必要ともなる。
【０１２８】
図７は、一部実施形態による、端末が基地局から受信したＤＬ ＳＰＳ非活性化に係わる第１信号に対応し、第２信号を基地局に送信するために必要なプロセッシング時間を決定する方法を図示したフローチャートである。
以下においては、説明の便宜のために、端末が第２信号を基地局に送信するために必要なプロセッシング時間を、プロセッシング時間とつづめて称する。
【０１２９】
一部実施形態によればｍ５ＧシステムまたはＮＲシステムにおいて、基地局は、ＤＬ ＳＰＳ非活性化に係わる第１信号（または、ＰＤＣＣＨ）伝送時、ＰＤＣＣＨをスケジューリングするＤＣＩにおいて、ＤＬ ＳＰＳ非活性化のＨＡＲＱ−ＡＣＫ情報を端末が伝送するタイミング情報に該当する値であるＫ１値を指示することができる。
【０１３０】
ＨＡＲＱ−ＡＣＫ情報がタイミングアドバンスを含み、ＯＦＤＭシンボルＬ３より先に伝送されるように指示されない場合、端末は、ＨＡＲＱ−ＡＣＫ情報を基地局に伝送することができる。ＨＡＲＱ−ＡＣＫ情報は、タイミングアドバンスを含み、ＯＦＤＭシンボルＬ３と同じであるか、あるいはその後の時点に端末から基地局にも伝送される。
【０１３１】
ＨＡＲＱ−ＡＣＫ情報がタイミングアドバンスを含み、ＯＦＤＭシンボルＬ３より先に伝送されるように指示された場合、端末から基地局に伝送されるＨＡＲＱ−ＡＣＫ情報は、有効なＨＡＲＱ−ＡＣＫ情報ではないのである。ＯＦＤＭシンボルＬ３は、ＤＬ ＳＰＳ非活性化が伝送されるＰＤＣＣＨの最後ＯＦＤＭシンボルの最後の時点からＴｐｒｏｃ，３以後にＣＰが始まる最初ＯＦＤＭシンボルでもある。Ｔｐｒｏｃ，３は、下記数式３のようにも計算される。
【０１３２】
【数３】
2021533634.tif 000014
−Ｎ３は、［表９］に提示されたサブキャリアスペーシング値に基づいても定義される。
−端末が複数個の活性化された構成キャリアまたはキャリアを設定されるならば、キャリア間最大タイミング差は、第２信号伝送にも反映される。
−数式３において、Ｔｃ＝１／（△ｆｍａｘ・Ｎｆ）、△ｆｍａｘ＝４８０・１０３Ｈｚ、Ｎｆ＝４０９６、κ＝Ｔ３／Ｔｃ＝６４、Ｔｓ＝１／（△ｆｒｅｆ・Ｎｆ，ｒｅｆ）、△ｆｒｅｆ＝１５・１０３Ｈｚ、Ｎｆ，ｒｅｆ＝２０４８ともそれぞれ定義される。
【０１３３】
図７を参照すれば、段階７１０において、端末は、基地局から第１信号を受信することができる。段階７１０は、図６の段階６１０に対応しうる。
段階７２０において、端末は、第１信号に対応し、第２信号を基地局に送信するために必要なプロセッシング時間決定に利用するサブキャリアスペーシング値を決定することができる。
【０１３４】
一部実施形態によれば、第２信号は、第１信号に係わるＨＡＲＱ ＡＣＫ／ＮＡＣＫでもある。例えば、該第２信号は、ＤＬ ＳＰＳを非活性化するための情報を含む第１信号に係わるＨＡＲＱ ＡＣＫ信号でもある。
【０１３５】
一部実施形態によれば、端末は、第１信号が受信されたＰＤＣＣＨのサブキャリアスペーシング値を、端末がプロセッシング時間決定に利用するサブキャリアスペーシング値に決定することができる。以下においては、第１信号が受信されたＰＤＣＣＨのサブキャリアスペーシング値をμＰＤＣＣＨと称する。
【０１３６】
一部実施形態によれば、端末は、第２信号を送信する上向きリンクチャネルのサブキャリアスペーシング値を、端末がプロセッシング時間決定に利用するサブキャリアスペーシング値に決定することができる。以下においては、端末が第２信号を送信する上向きリンクチャネルのサブキャリアスペーシング値をμＵＬと称する。
【０１３７】
一部実施形態によれば、端末は、プロセッシング時間決定に利用するサブキャリアスペーシング値を、第１信号が受信されるＰＤＣＣＨのサブキャリアスペーシング値（μＰＤＣＣＨ）と、端末が第２信号を送信する上向きリンクチャネルのサブキャリアスペーシング値（μＵＬ）とのうち小さい値（ｍｉｎ（μＰＤＣＣＨ，μＵＬ））に決定することができる。
【０１３８】
一部実施形態によれば、端末は、プロセッシング時間決定に利用するサブキャリアスペーシング値を、第１信号が受信されるＰＤＣＣＨのサブキャリアスペーシング値（μＰＤＣＣＨ）と、端末が第２信号を送信する上向きリンクチャネルのサブキャリアスペーシング値（μＵＬ）とのうち大きい値（ｍａｘ（μＰＤＣＣＨ，μＵＬ））に決定することができる。
【０１３９】
段階７３０において、端末は、第２信号を送信する上向きリンクチャネルを決定することができる。
一部実施形態によれば、端末は、第２信号を基地局に送信する上向きリンクチャネルにＰＵＣＣＨ（上向きリンク制御チャネル）と決定することができる。
一部実施形態によれば、端末は、第２信号を基地局に伝送する上向きリンクチャネルにＰＵＳＣＨを決定することができる。例えば、端末は、ＨＡＲＱ−ＡＣＫ情報をＰＵＳＣＨに多重化して基地局に送信する場合、第２信号を送信する上向きリンクチャネルにＰＵＳＣＨ（上向きリンク共有チャネル、データチャネル）を決定することができる。
【０１４０】
段階７４０において、端末は、プロセッシング時間決定に利用するサブキャリアスペーシング値、及び第２信号を送信する上向きリンクチャネルを第１式に適用することにより、プロセッシング時間を決定することができる。
【０１４１】
一部実施形態によれば、第１式が数式３である場合、第１式のμは、プロセッシング時間決定に利用するサブキャリアスペーシング値でもある。例えば、μは、端末の決定により、μＰＤＣＣＨまたはμＵＬでもある。
【０１４２】
一部実施形態によれば、第１式が数式３である場合、第１式のＮ３値は、端末がプロセッシング時間決定に利用するサブキャリアスペーシング値μに対応する［表９］に提示されたＮ値でもある。
【０１４３】
一部実施形態によれば、第１式が数式３である場合、端末は、第１式のｄ３値を、端末が第２信号を送信する上向きリンクチャネルによって決定することができる。該端末が第２信号を送信する上向きリンクチャネルにＰＵＣＣＨを決定する場合、該端末は、ｄ３を０に決定することができる。該端末が第２信号を送信する上向きリンクチャネルにＰＵＳＣＨを決定した場合、端末は、ｄ３を１に決定することができる。
【０１４４】
一部実施形態によれば、第１式が数式３である場合、端末は、プロセッシング時間決定に利用するサブキャリアスペーシング値、端末が第２信号を送信する上向きリンクチャネルにより、μ値、Ｎ３値及びｄ３値を第１式に適用し、Ｔｐｒｏｃ，３値を獲得することができる。該端末は、獲得されたＴｐｒｏｃ，３値を、プロセッシング時間に決定することができる。
【０１４５】
例えば、該端末は、第１信号が受信されるＰＵＣＣＨのサブキャリアスペーシング値（μＰＤＣＣＨ）を、端末がプロセッシング時間決定に利用するサブキャリアスペーシング値に決定し、第１式のμに適用することができる。該端末は、μ＝μＰＤＣＣＨ値に対応する［表８］に提示されたＮ値を、第１式に適用することができる。また、該端末が第２信号を送信する上向きリンクチャネルにＰＵＣＣＨを決定する場合、決定された上向きリンクチャネルにより、ｄ３値を第１式に適用することができる。
【０１４６】
ＰＤＣＣＨのサブキャリアスペーシング値（μＰＤＣＣＨ）が１５ｋＨｚである場合、端末は、第１式にμ＝１５ｋＨｚを適用することができる。また、［表９］において、μ＝１５ｋＨｚに対応するＮ値は、１０であり、端末は、Ｎ３＝１０を第１式に適用することができる。また、該端末は、第２信号が送信される上向きリンクチャネルにＰＵＣＣＨを決定することにより、ｄ３＝０を第１式に適用することができる。該端末は、μ＝１５ｋＨｚ、Ｎ３＝１０及びｄ３＝０を第１式に適用することによって獲得したＴｐｒｏｃ，３をプロセッシング値に決定することができる。
【０１４７】
図８は、一部実施形態による端末が基地局から受信したＤＬ ＳＰＳ非活性化に係わる第１信号に対応し、第２信号を基地局に、ＰＵＣＣＨとＰＵＳＣＨとで同時に送信することができる場合、第２信号を基地局に送信するために必要なプロセッシング時間を決定する方法を図示したフローチャートである。
以下においては、説明の便宜のために、端末が第２信号を基地局に伝送するために必要なプロセッシング時間を、プロセッシング時間とつづめて称する。
【０１４８】
図８を参照すれば、段階８１０において、端末は、基地局から第１信号を受信することができる。段階８１０は、図６の段階６１０に対応しうる。
段階８２０において、端末は、第１信号に対応し、第２信号を基地局に送信するために必要なプロセッシング時間決定に利用するサブキャリアスペーシング値を決定することができる。段階８２０は、図７の段階７２０に対応しうる。
段階８３０において、端末は、第２信号をＰＵＳＣＨによって送信することができるか否かということを判断することができる。
【０１４９】
一部実施形態によれば、端末が第２信号をＰＵＳＣＨによって送信することができる場合、該端末は、第２信号を送信する上向きリンクチャネルにＰＵＳＣＨを決定（段階８４０）するか、あるいはＰＵＣＣＨを決定（段階８５０）することができる。
【０１５０】
端末がＰＵＣＣＨとＰＵＳＣＨとによる同時送信を支援することができる状況において、該端末は、第２信号を、ＰＵＣＣＨによって伝送するか、あるいはＰＵＳＣＨによって伝送するかということを、次のような方法によって決定することができる。
【０１５１】
方法１：ＰＵＳＣＨと関係なく、第２信号を送信する上向きリンクチャネルにＰＵＣＣＨを決定（段階８５０）
方法２：条件的に、ＰＵＳＣＨを第２信号を送信する上向きリンクチャネルに決定
端末は、ＰＵＳＣＨによって第２信号（例えば、ＨＡＲＱ−ＡＣＫ情報を含む信号）を送ることができるとき、ＨＡＲＱ−ＡＣＫ情報をＰＵＳＣＨにピギーバックさせることができる。端末がＨＡＲＱ−ＡＣＫ情報をＰＵＳＣＨにピギーバックさせることにより、送信時間が長くなる。
【０１５２】
端末がＨＡＲＱ−ＡＣＫ情報をＰＵＳＣＨにピギーバックさせることによって長くなる送信時間により、端末がＨＡＲＱ−ＡＣＫ情報を有効ではない値で基地局に送信することになる場合、端末がピギーバックさせずに、ＰＵＣＣＨによっては、有効なＨＡＲＱ−ＡＣＫを送信することができたら、該端末は、ＨＡＲＱ−ＡＣＫ情報を含む第２信号を送信するチャネルにＰＵＣＣＨを決定（段階８４０）することができる。
【０１５３】
端末がＨＡＲＱ−ＡＣＫ情報をＰＵＳＣＨにピギーバックさせることによって伝送時間が長くなっても、ＨＡＲＱ−ＡＣＫ情報を有効な値で基地局に送信することができる場合、該端末は、ＨＡＲＱ−ＡＣＫ情報を含む第２信号を送信するチャネルにＰＵＳＣＨを決定（段階８４０）することができる。
【０１５４】
一部実施形態によれば、端末が第２信号をＰＵＳＣＨによって送信することができない場合、段階８６０において端末は、第２信号を送信する上向きリンクチャネルにＰＵＣＣＨを決定することができる。
【０１５５】
段階８７０において、端末は、プロセッシング時間決定に利用するサブキャリアスペーシング値、及び端末が第２信号を送信する上向きリンクチャネルに基づき、プロセッシング時間を決定することができる。段階８７０は、図７の段階７４０に対応しうる。
【０１５６】
図９は、実施形態による端末の構造を図示するブロック図である。
図９を参照すれば、本発明の端末は、プロセッサ９０１、送受信部９０２及びメモリ９０３を含んでもよい。ただし、端末の構成要素は、前述の例に限定されるものではない。例えば、該端末は、前述の構成要素よりさらに多くの構成要素を含むか、あるいはさらに少ない構成要素を含んでもよい。それだけではなく、プロセッサ９０１、送受信部９０２及びメモリ９０３が１つのチップ形態にも具現される。
【０１５７】
一部実施形態によれば、送受信部９０２は、基地局と信号を送受信することができる。端末が基地局と送受信する信号は、制御情報と、データとを含んでもよい。送受信部９０２は、送信される信号の周波数を上昇変換及び増幅するＲＦ送信器と、受信される信号を低ノイズ増幅し、周波数を下降変換するＲＦ受信器とによっても構成される。また、送受信部９０２は、無線チャネルを介して信号を受信し、プロセッサ９０１に出力し、プロセッサ９０１から出力された信号を無線チャネルを介して伝送することができる。
【０１５８】
プロセッサ９０１は、前述の実施形態によって端末が動作するように、一連の過程を制御することができる。例えば、端末のプロセッサ９０１は、本開示の多様な実施形態による、ＯＦＤＭ信号を使用した下向きリンク制御チャネル受信、及びＲＳ、データチャネル送受信方法などを制御することができる。プロセッサ９０１は、複数個のプロセッサによっても構成され、プロセッサ９０１は、メモリ９０３に保存されたプログラムを実行することにより、送受信部９０２を介して基地局から受信した第１信号に対応し、第２信号を基地局に伝送するために必要なプロセッシング時間を決定するように制御することができる。
【０１５９】
一部実施形態によれば、メモリ９０３は、端末動作に必要なプログラム及びデータを保存することができる。また、メモリ９０３は、端末が送受信する信号に含まれた制御情報またはデータを保存することができる。メモリ９０３は、ＲＯＭ（read only memory）、ＲＡＭ（random access memory）、ハードディスク、ＣＤ−ＲＯＭ（compact disc read only memory）及びＤＶＤ（digital versatile disc）のような記録媒体、または記録媒体の組み合わせによっても構成される。また、メモリ９０３は、複数個のメモリによっても構成される。一部実施形態によれば、メモリ９０３は、変調信号を送受信するためのプログラムを保存することができ、前述の意グループ変調方式の設定、及びグループ変調方式の送受信のためのプログラムを保存することができる。
【０１６０】
図１０は、実施形態による基地局の構造を図示するブロック図である。
図１０を参照すれば、基地局は、プロセッサ１００１、送受信部１００２及びメモリ１００３を含んでもよい。ただし、基地局の構成要素は、前述の例に限定されるものではない。例えば、該基地局は、前述の構成要素よりさらに多くの構成要素を含むか、あるいはさらに少ない構成要素を含んでもよい。それだけではなく、プロセッサ１００１、送受信部１００２及びメモリ１００３が１つのチップ形態にも具現される。
【０１６１】
一部実施形態によれば、プロセッサ１００１は、前述の本開示の実施形態により、基地局が動作するように一連の過程を制御することができる。例えば、該基地局のプロセッサ１００１は、本開示の多様な実施形態による、ＯＦＤＭ信号を使用した下向きリンク制御チャネル割り当て及びその送信、並びにＲＳ、データチャネル資源マッピング及び送受信方法を制御することができる。プロセッサ１００１は、複数個のプロセッサによっても構成され、プロセッサ１００１は、メモリ１００３に保存されたプログラムを実行することにより、端末への第１信号送信を制御することができる。
【０１６２】
送受信部１００２は、端末と信号を送受信することができる。端末と送受信する信号は、制御情報とデータとを含んでもよい。一部実施形態によれば、送受信部１００２は、送信される信号の周波数を上昇変換及び増幅するＲＦ送信器と、受信される信号を低ノイズ増幅し、周波数を下降変換するＲＦ受信器とによっても構成される。ただし、それは、送受信部１００２の一実施形態であるのみ、送受信部１００２の構成要素は、ＲＦ送信器及びＲＦ受信器に限定されるものではない。また、送受信部１００２は、無線チャネルを介して信号を受信してプロセッサ１００１に出力し、プロセッサ１００１から出力された信号を無線チャネルを介して伝送することができる。
【０１６３】
一部実施形態によれば、メモリ１００３は、基地局の動作に必要なプログラム及びデータを保存することができる。また、メモリ１００３は、基地局が送受信する信号に含まれた制御情報またはデータを保存することができる。メモリ１００３は、ＲＯＭ、ＲＡＭ、ハードディスク、ＣＤ−ＲＯＭ及びＤＶＤのような記録媒体、または記録媒体の組み合わせによっても構成される。また、メモリ１００３は、複数個のメモリによっても構成される。
【０１６４】
本開示の特許請求の範囲、または明細書に記載された多様な実施形態による方法は、ハードウェア、ソフトウェア、またはハードウェアとソフトウェアとの組み合わせの形態によっても具現される。
【０１６５】
ソフトウェアで具現する場合、１以上のプログラム（ソフトウェアモジュール）を保存するコンピュータ可読記録媒体が提供されうる。該コンピュータ可読記録媒体に保存される１以上のプログラムは、電子装置内の１以上のプロセッサによって実行可能になるように構成される。１以上のプログラムは、電子装置をして、本開示の特許請求の範囲、または明細書に記載された多様な実施形態による方法を実行させる命令語を含む。
【０１６６】
そのようなプログラム（ソフトウェアモジュール、ソフトウェア）は、ＲＡＭ，フラッシュメモリを含む不揮発性（non-volatile）メモリ、ＲＯＭ、電気的削除可能プログラム可能ＲＯＭ（ＥＥＰＲＯＭ）、磁気ディスク保存装置、ＣＤ−ＲＯＭ、ＤＶＤまたは他の形態の光学保存装置、マグネチックカセットにも保存される。または、それらの一部または全部の組み合わせによって構成されたメモリにも保存される。また、それぞれの構成メモリは、多数個含まれてもよい。
【０１６７】
また、プログラムは、インターネット、イントラネット（Intranet）、ＬＡＮ（local area network）、ＷＬＡＮ（wide ＬＡＮ）またはＳＡＮ（storage area network）のような通信ネットワーク、またはそれらの組み合わせによって構成された通信ネットワークを介してアクセスすることができる付着可能な（attachable）保存装置にも保存される。そのような保存装置は、外部ポートを介し、本開示の実施形態を遂行する装置に接続することができる。また、通信ネットワーク上の別途の保存装置が、本開示の実施形態を遂行する装置に接続することもできる。
【０１６８】
前述の本開示の具体的な実施形態において、本開示に含まれる構成要素は、提示された具体的な実施形態により、単数または複数に表現された。しかし、単数または複数の表現は、説明の便宜のために提示した状況に適して選択されたものであり、本開示は、単数または複数の構成要素に制限されるものではなく、複数に表現された構成要素であるとしても、単数にも構成されるか、あるいは単数によって表現された構成要素であるとしても、複数にも構成される。
【０１６９】
一方、明細書と図面とに開示された本開示の多様な実施形態は、本開示の記述内容を容易に説明し、本開示の理解の一助とするために特定例を提示したものであるのみ、本開示の範囲を限定するものではない。すなわち、本開示の技術的思想に基づく他の変形例が実施可能であるということは、本開示が属する技術分野で当業者に自明である。また、前記多様な実施形態は、必要により、互いに組み合わされても運用される。例えば、本開示の一実施形態と異なる一実施形態の一部分が互いに組み合わさせ、基地局と端末とが運用されうる。また、本開示の多様な実施形態は、ＮＲシステムを基準に提示されたが、ＦＤＤシステムまたはＴＤＤ（time division multiplexing） ＬＴＥシステムのような他のシステムにも、前記多様な実施形態の技術的思想に基づく他の変形例が実施可能であろう。
【０１７０】
本開示は、多様な実施形態を参照して図示されて説明されたが、本技術分野の当業者であるならば、本開示の思想及び範囲を外れずに、形態及び細部事項の多様な変更がなされうるということを理解するであろう。特許請求の範囲、及びその等価物によって定義されうる。
【符号の説明】
【０１７１】
９０１  プロセッサ
９０２  送受信部
９０３  メモリ
１００１  プロセッサ
１００２  送受信部
１００３  メモリ
【図１】
2021533634.tif 000015
【図２】
2021533634.tif 000016
【図３】
2021533634.tif 000017
【図４】
2021533634.tif 000018
【図５】
2021533634.tif 000019
【図６】
2021533634.tif 000020
【図７】
2021533634.tif 000021
【図８】
2021533634.tif 000022
【図９】
2021533634.tif 000023
【図１０】
2021533634.tif 000024
【手続補正書】
【提出日】令和3年2月2日(2021.2.2)
【手続補正１】
【補正対象書類名】特許請求の範囲
【補正対象項目名】全文
【補正方法】変更
【補正の内容】
【特許請求の範囲】
【請求項１】
無線通信システムにおいて、ＵＥ（user equipment）がＨＡＲＱ−ＡＣＫ（hybrid automatic repeat request acknowledgement）情報を伝送するための方法において、
基地局からＤＬ ＳＰＳ（downlink semi-persistent scheduling）非活性化（release）のための情報を含むＰＤＣＣＨ（physical downlink control channel）を受信する段階と、
前記ＤＬ ＳＰＳ非活性化のための情報を含む前記ＰＤＣＣＨに係わるＨＡＲＱ−ＡＣＫ情報を含む上向きリンクチャネルを、前記基地局に伝送する段階と、を含み、
前記上向きリンクチャネルの最初シンボルは、前記ＰＤＣＣＨの最後のシンボルが伝送された時点から、少なくともプロセッシング時間（Ｔｐｒｏｃ，３）以後に受信され、
前記プロセッシング時間は、前記ＰＤＣＣＨのサブキャリアスペーシング（ＳＣＳ）値、及び前記上向きリンクチャネルのサブキャリアスペーシング値のうち小さい値に基づいて決定される、方法。
【請求項２】
前記上向きリンクチャネルは、前記ＨＡＲＱ−ＡＣＫ情報が多重化されたＰＵＳＣＨ（physical uplink shared channel）である、請求項１に記載の方法。
【請求項３】
前記プロセッシング時間（Ｔｐｒｏｃ，３）は、Ｔｐｒｏｃ，３＝（Ｎ３＋ｄ３）・（２０４８＋１４４）・κ・２−μ・Ｔｃに基づいて計算され、
前記ｄ３は、１であり、
前記μは、前記ＰＤＣＣＨのサブキャリアスペーシング値（μＰＤＣＣＨ）、及び前記上向きリンクチャネルのサブキャリアスペーシング値（μＵＬ）のうち小さい値であり、
前記Ｎ３は、前記μに基づいて決定され、
前記Ｔｃは、Ｔｃ＝１／（△ｆｍａｘ・Ｎｆ）に基づいて計算され、△ｆｍａｘ＝４８０・１０３Ｈｚ及びＮｆ＝４０９６であり、
前記κは、κ＝Ｔｓ／Ｔｃ＝６４であり、Ｔｓ＝１／（△ｆｒｅｆ・Ｎｆ，ｒｅｆ）、△ｆｒｅｆ＝１５・１０３Ｈｚ及びＮｆ，ｒｅｆ＝２０４８である、請求項１に記載の方法。
【請求項４】
前記μが１５ｋＨｚであるならば、前記Ｎ３は、１０であり、
前記μが３０ｋＨｚであるならば、前記Ｎ３は、１２であり、
前記μが６０ｋＨｚであるならば、前記Ｎ３は、２２であり、
前記μが１２０ｋＨｚであるならば、前記Ｎ３は、２５である、請求項３に記載の方法。
【請求項５】
前記上向きリンクチャネルの最初シンボルは、前記ＰＤＣＣＨの最後のシンボルが受信された時点から、前記所定のプロセッシング時間以後、ＣＰ（cyclic prefix）が始まる最初シンボルより先に伝送されない、請求項１に記載の方法。
【請求項６】
前記ＰＤＣＣＨは、前記ＤＬ ＳＰＳ解除のための情報を含むＤＣＩ（downlink control information）を含む、請求項１に記載の方法。
【請求項７】
前記ＨＡＲＱ−ＡＣＫ情報は、前記ＤＬ ＳＰＳ解除のための情報を含む前記ＰＤＣＣＨに係わるＡＣＫ（acknowledgement）情報またはＮＡＣＫ（negative acknowledgement）情報を含む、請求項１に記載の方法。
【請求項８】
無線通信システムにおいて、ＨＡＲＱ−ＡＣＫ（hybrid automatic repeat request acknowledgement）情報を伝送するＵＥ（user equipment）において、
送受信部と、
少なくとも１つのプロセッサと、を含み、
前記少なくとも１つのプロセッサは、
基地局からＤＬ ＳＰＳ（downlink semi-persistent scheduling）非活性化（release）のための情報を含むＰＤＣＣＨ（physical downlink control channel）を受信するように前記送受信部を制御し、
前記ＤＬ ＳＰＳ非活性化のための情報を含む前記ＰＤＣＣＨに係わるＨＡＲＱ−ＡＣＫ情報を含む上向きリンクチャネルを、前記基地局に伝送するように前記送受信部を制御し、
前記上向きリンクチャネルの最初シンボルは、前記ＰＤＣＣＨの最後のシンボルが伝送された時点から、少なくともプロセッシング時間（Ｔｐｒｏｃ，３）以後に受信され、
前記プロセッシング時間は、前記ＰＤＣＣＨのサブキャリアスペーシング（ＳＣＳ）値、及び前記上向きリンクチャネルのサブキャリアスペーシング値のうち小さい値に基づいて決定される、ＵＥ（user equipment）。
【請求項９】
無線通信システムにおいて、基地局がＨＡＲＱ−ＡＣＫ（hybrid automatic repeat request acknowledgement）情報を受信するための方法において、
ＵＥ（user equipment）にＤＬ ＳＰＳ（downlink semi-persistent scheduling）不活性化（release）のための情報を含むＰＤＣＣＨ（physical downlink control channel）を伝送する段階と、
前記ＤＬ ＳＰＳ不活性化のための情報を含む前記ＰＤＣＣＨに係わるＨＡＲＱ−ＡＣＫ情報を含む上向きリンクチャネルを前記ＵＥから受信する段階と、を含み、
前記上向きリンクチャネルの最初シンボルは、前記ＰＤＣＣＨの最後のシンボルが伝送された時点から少なくともプロセッシング時間（Ｔｐｒｏｃ，３）以後に伝送され、
前記プロセッシング時間は、前記ＰＤＣＣＨのサブキャリアスペーシング（ＳＣＳ：subcarrier spacing）値、及び前記上向きリンクチャネルのサブキャリアスペーシング値のうち小さい値に基づいて決定される、方法。
【請求項１０】
前記上向きリンクチャネルは、前記ＨＡＲＱ−ＡＣＫ情報が多重化されたＰＵＳＣＨ（physical uplink shared channel）である、請求項９に記載の方法。
【請求項１１】
前記プロセッシング時間（Ｔｐｒｏｃ，３）は、Ｔｐｒｏｃ，３＝（Ｎ３＋ｄ３）・（２０４８＋１４４）・κ・２−μ・Ｔｃに基づいて計算され、
前記ｄ３は、１であり、
前記μは、前記ＰＤＣＣＨのサブキャリアスペーシング値（μＰＤＣＣＨ）、及び前記上向きリンクチャネルのサブキャリアスペーシング値（μＵＬ）のうち小さい値であり、
前記Ｎ３は、前記μに基づいて決定され、
前記Ｔｃは、Ｔｃ＝１／（△ｆｍａｘ・Ｎｆ）に基づいて計算され、△ｆｍａｘ＝４８０・１０３Ｈｚ及びＮｆ＝４０９６であり、
前記κは、κ＝Ｔｓ／Ｔｃ＝６４であり、Ｔｓ＝１／（△ｆｒｅｆ・Ｎｆ，ｒｅｆ）、△ｆｒｅｆ＝１５・１０３Ｈｚ及びＮｆ，ｒｅｆ＝２０４８である、請求項９に記載の方法。
【請求項１２】
前記μが１５ｋＨｚであるならば、前記Ｎ３は、１０であり、
前記μが３０ｋＨｚであるならば、前記Ｎ３は、１２であり、
前記μが６０ｋＨｚであるならば、前記Ｎ３は、２２であり、
前記μが１２０ｋＨｚであるならば、前記Ｎ３は、２５である、請求項１１に記載の方法。
【請求項１３】
前記上向きリンクチャネルの最初シンボルは、前記ＰＤＣＣＨの最後のシンボルが伝送された時点から、前記所定のプロセッシング時間以後、ＣＰ（cyclic prefix）が始まる最初シンボルより先に受信されない、請求項９に記載の方法。
【請求項１４】
前記ＰＤＣＣＨは、前記ＤＬ ＳＰＳ解除のための情報を含むＤＣＩ（downlink control information）を含み、
前記ＨＡＲＱ−ＡＣＫ情報は、前記ＤＬ ＳＰＳ解除のための情報を含む前記ＰＤＣＣＨに係わるＡＣＫ（acknowledgement）情報またはＮＡＣＫ（negative acknowledgement）情報を含む、請求項９に記載の方法。
【請求項１５】
無線通信システムにおいて、ＨＡＲＱ−ＡＣＫ（hybrid automatic repeat request acknowledgement）情報を受信する基地局において、
送受信部と、
少なくとも１つのプロセッサと、を含み、前記少なくとも１つのプロセッサは、
ＵＥ（user equipment）にＤＬ ＳＰＳ（downlink semi-persistent scheduling）不活性化（release）のための情報を含むＰＤＣＣＨ（physical downlink control channel）を伝送するように、前記送受信部を制御し、
前記ＤＬ ＳＰＳ不活性化のための情報を含む前記ＰＤＣＣＨに係わるＨＡＲＱ−ＡＣＫ情報を含む上向きリンクチャネルを、前記ＵＥから受信するように、前記送受信部を制御し、
前記上向きリンクチャネルの最初シンボルは、前記ＰＤＣＣＨの最後のシンボルが伝送された時点から少なくともプロセッシング時間（Ｔｐｒｏｃ，３）以後に伝送され、
前記プロセッシング時間は、前記ＰＤＣＣＨのサブキャリアスペーシング（ＳＣＳ：subcarrier spacing）値、及び前記上向きリンクチャネルのサブキャリアスペーシング値のうち小さい値に基づいて決定される、基地局。
【国際調査報告】
2021533634.tif 000025
2021533634.tif 000026